(57)【特許請求の範囲】
【請求項１】
物体側から順に、
正の屈折力を有する第１レンズ群と、
負の屈折力を有する第２レンズ群と、
負の屈折力を有する第３レンズ群と、
正の屈折力を有する第４レンズ群と、
負の屈折力を有する最終レンズ群である第５レンズ群と、からなり、
更に、開口絞りを備え、
広角端から望遠端への変倍時、各レンズ群の間隔が変化し、
前記第１レンズ群と前記開口絞りは物体側へ移動し、
無限遠物点から近距離物点への合焦時、前記第３レンズ群のみが移動し、
以下の条件式を満足することを特徴とするズームレンズ。
０．２＜（βlt／βlw）／（ｆt／ｆw）＜０．７
２．１５＜Ｄaiw／（ｔａｎωt×ｆt）＜６．０
１．４＜｜Ｓt｜＜７
−６．６＜ｆl／ｆw＜−０．８
ここで、
βltは、望遠端における前記最終レンズ群の横倍率、
βlwは、広角端における前記最終レンズ群の横倍率、
ｆtは、望遠端における前記ズームレンズ全系の焦点距離、
ｆwは、広角端における前記ズームレンズ全系の焦点距離、
Ｄaiwは、広角端における前記開口絞りと像面との間隔、
ωtは、望遠端における半画角、
Ｓt＝（１−β3t×β3t）×βct×βct
β3tは、望遠端における前記第３レンズ群の横倍率、
βctは、望遠端における前記第３レンズ群よりも像側に位置する全部のレンズ群の合成横倍率、
ｆlは、前記最終レンズ群の焦点距離、
である。
【請求項２】
物体側から順に、
正の屈折力を有する第１レンズ群と、
負の屈折力を有する第２レンズ群と、
負の屈折力を有する第３レンズ群と、
正の屈折力を有する第４レンズ群と、
負の屈折力を有する最終レンズ群である第５レンズ群と、からなり、
更に、開口絞りを備え、
前記開口絞りは前記第３レンズ群内の最も像側に位置するレンズから像面の間に配置され、
広角端から望遠端への変倍時、各レンズ群の間隔が変化し、
前記第１レンズ群は物体側へ移動し、前記開口絞りは物体側へ移動し、前記第５レンズ群は物体側へ移動し、
以下の条件式を満足することを特徴とするズームレンズ。
０．２＜（βlt／βlw）／（ｆt／ｆw）＜０．７
２．１５＜Ｄaiw／（ｔａｎωt×ｆt）＜６．０
−６．６＜ｆl／ｆw＜−０．８
ここで、
βltは、望遠端における前記最終レンズ群の横倍率、
βlwは、広角端における前記最終レンズ群の横倍率、
ｆtは、望遠端における前記ズームレンズ全系の焦点距離、
ｆwは、広角端における前記ズームレンズ全系の焦点距離、
Ｄaiwは、広角端における前記開口絞りと像面との間隔、
ωtは、望遠端における半画角、
ｆlは、前記最終レンズ群の焦点距離、
である。
【請求項３】
物体側から順に、
正の屈折力を有する第１レンズ群と、
負の屈折力を有する第２レンズ群と、
負の屈折力を有する第３レンズ群と、
正の屈折力を有する第４レンズ群と、
負の屈折力を有する最終レンズ群である第５レンズ群と、からなり、
更に、開口絞りを備え、
広角端から望遠端への変倍時、各レンズ群の間隔が変化し、
前記第１レンズ群と前記開口絞りは物体側へ移動し、
無限遠物点から近距離物点への合焦時、前記第３レンズ群のみが移動し、
以下の条件式を満足することを特徴とするズームレンズ。
０．２＜（βlt／βlw）／（ｆt／ｆw）＜０．７
２．１５＜Ｄaiw／（ｔａｎωt×ｆt）＜６．０
１．４＜｜Ｓt｜＜７
１．１＜（βlt／βlw）＜２．８
ここで、
βltは、望遠端における前記最終レンズ群の横倍率、
βlwは、広角端における前記最終レンズ群の横倍率、
ｆtは、望遠端における前記ズームレンズ全系の焦点距離、
ｆwは、広角端における前記ズームレンズ全系の焦点距離、
Ｄaiwは、広角端における前記開口絞りと像面との間隔、
ωtは、望遠端における半画角、
Ｓt＝（１−β3t×β3t）×βct×βct
β3tは、望遠端における前記第３レンズ群の横倍率、
βctは、望遠端における前記第３レンズ群よりも像側に位置する全部のレンズ群の合成横倍率、
である。
【請求項４】
以下の条件式を満足することを特徴とする請求項３に記載のズームレンズ。
−６．６＜ｆl／ｆw＜−０．８
ここで、
ｆlは、前記最終レンズ群の焦点距離、
ｆwは、広角端における前記ズームレンズ全系の焦点距離、
である。
【請求項５】
以下の条件式を満足することを特徴とする請求項１から４のいずれか一項に記載のズームレンズ。
１．０５＜ＥＸＰw／（ｔａｎωt×ｆt）＜５．２
ここで、
ＥＸＰwは、広角端における像面と射出瞳との間隔、
ωtは、望遠端における半画角、
ｆtは、望遠端における前記ズームレンズ全系の焦点距離、
である。
【請求項６】
以下の条件式を満足することを特徴とする請求項１から５のいずれか一項に記載のズームレンズ。
１．０＜βlw＜１．５
ここで、
βlwは、広角端における前記最終レンズ群の横倍率、
である。
【請求項７】
前記最終レンズ群の最も像側に位置するレンズは、以下の条件式を満足することを特徴とする請求項１から６のいずれか一項に記載のズームレンズ。
−９＜（ｒlf＋ｒlb）／（ｒlf−ｒlb）＜−０．１
ここで、
ｒlfは、前記最終レンズ群の最も像側に位置するレンズの物体側レンズ面の曲率半径、
ｒlbは、前記最終レンズ群の最も像側に位置するレンズの像側レンズ面の曲率半径、
である。
【請求項８】
前記第３レンズ群の負レンズの中で最も物体側に位置する負レンズは物体側に凹面を向けた負レンズであり、
以下の条件式を満足することを特徴とする請求項１又は３に記載のズームレンズ。
−５＜（ｒff＋ｒfb）／（ｒff−ｒfb）＜−０．１
ここで、
ｒffは、前記物体側に凹面を向けた負レンズの物体側レンズ面の曲率半径、
ｒfbは、前記物体側に凹面を向けた負レンズの像側レンズ面の曲率半径、
である。
【請求項９】
以下の条件式を満足することを特徴とする請求項１、２、４から８のいずれか一項に記載のズームレンズ。
１．１＜（βlt／βlw）＜２．８
ここで、
βltは、望遠端における前記最終レンズ群の横倍率、
βlwは、広角端における前記最終レンズ群の横倍率、
である。
【請求項１０】
前記最終レンズ群中に配置される最も像側のレンズは負の屈折力を有することを特徴とする請求項１から９のいずれか一項に記載のズームレンズ。
【請求項１１】
広角端から望遠端への変倍時、前記最終レンズ群は物体側へ移動することを特徴とする請求項１から１０のいずれか一項に記載のズームレンズ。
【請求項１２】
前記開口絞りは、２つのレンズの間に配置され、
前記２つのレンズのうち、一方のレンズは前記第２レンズ群の最も像側に位置し、他方のレンズは前記最終レンズ群の最も物体側に位置することを特徴とする請求項１から１１のいずれか一項に記載のズームレンズ。
【請求項１３】
前記開口絞りは前記第３レンズ群内の最も像側に位置するレンズから像面の間に配置され、
広角端から望遠端への変倍時、
前記第５レンズ群は物体側へ移動することを特徴とする請求項１、３から１２のいずれか一項に記載のズームレンズ。
【請求項１４】
請求項１から１３のいずれか一項に記載のズームレンズと、
撮像面を有する撮像素子を備えたことを特徴とする撮像装置。
【発明の詳細な説明】
【技術分野】
【０００１】
本発明は、ズームレンズ及びそれを備えた撮像装置に関するものである。
【背景技術】
【０００２】
撮像装置に用いられるズームレンズには、小型であることや諸収差が良好に補正されていることが望まれている。一方、撮像装置に用いられる撮像素子には、感度が高いことや画素数が多いことが好まれる。そのため、撮像素子のサイズ（受光面のサイズ）は大きくなってしまう。このようなことから、ズームレンズには、小型で諸収差が良好に補正されていることに加えて、サイズが大きい撮像素子にも対応できることが望まれる。【０００３】
撮像素子のサイズが大きくなると、撮像素子上に形成される像の大きさも大きくなる。サイズが大きい撮像素子にも対応できることとは、像の大きさが大きくなった場合であっても、周辺部（像高の高い部分）における諸収差が良好に補正されているということである。【０００４】
一方、撮像素子のサイズが小さなカメラとして、レンズ固定式の小型カメラ（通称コンパクトカメラ）が普及している。レンズ固定式のカメラに適したズーム光学系として、たとえば特許文献１に開示されたズームレンズがある。特許文献１のズームレンズは、４つのレンズ群で構成されている。具体的には、ズームレンズは、物体側から順に、正の屈折力を有する第１レンズ群と、負の屈折力を有する第２レンズ群と、正の屈折力を有する第３レンズ群と、負の屈折力を有する第４レンズ群とからなる。【０００５】
ところで、正の屈折力を有するレンズ群が最も物体側に配置された構成は、正先行タイプと呼ばれる。正先行タイプで最も基本的なタイプでは、レンズ群は、物体側から、正の屈折力を有する第１レンズ群、負の屈折力を有する第２レンズ群、正の屈折力を有する第３レンズ群及び正の屈折力を有する第４レンズ群の順で配置されている。【０００６】
特許文献１のズームレンズは、この基本的なタイプにおける第４レンズ群の正の屈折力を、負の屈折力に置き換えたものと言うことができる。このようにすることで、特許文献１のズームレンズでは、全長が長くなりがちな望遠端において、ズームレンズの全長を短くしつつ、必要な変倍比が得られるようにしている。【０００７】
また、過去においては、撮像領域のサイズが大きなカメラとして、銀塩カメラが普及していた。銀塩カメラに用いられたズームレンズとして、例えば、特許文献２に開示されたズームレンズがある。特許文献２のズームレンズは、５つのレンズ群で構成されている。具体的には、ズームレンズは、物体側から順に、正の屈折力を有する第１レンズ群と、負の屈折力を有する第２レンズ群と、負の屈折力を有する第３レンズ群と、正の屈折力を有する第４レンズ群と、負の屈折力を有する第５レンズ群とからなる。
【先行技術文献】
【特許文献】
【０００８】
【特許文献１】特許第３５９８９７１号公報
【特許文献２】特開平８−２２０４３８号公報
【発明の概要】
【発明が解決しようとする課題】
【０００９】
撮像素子のサイズが大きくなることにより、光学系の態様も大きく異なってくることが知られている。特許文献１のズームレンズにおいて、サイズが大きい撮像素子にも対応できるようにするためには、第２レンズ群の屈折力を大きくする必要がある。しかしながら、第２レンズ群の屈折力が大きくなると、第２レンズ群の倍率の絶対値が小さくなる。そのため、必要な変倍比を得るためには、第２レンズ群の移動量を大きくしなくてはならない。そうすると、ズームレンズの全長が長くなるので、光学系の小型化が困難になる。【００１０】
一方、特許文献２のズームレンズでは、球面収差の補正が十分ではない。第５レンズ群における変倍の負担割合が大きいことが、望遠側での球面収差の発生の原因となっている。そのため、サイズが大きい撮像素子にも対応できるようにしようとすると、諸収差が良好に補正された状態にすることは困難である。【００１１】
本発明は、上記に鑑みてなされたものであって、諸収差が良好に補正され、なお且つ、全長が短いズームレンズ及びそれを備えた撮像装置を提供することを目的としている。
【課題を解決するための手段】
【００１２】
上述した課題を解決し、目的を達成するために、本発明のズームレンズは、
物体側から順に、
正の屈折力を有する第１レンズ群と、
負の屈折力を有する第２レンズ群と、
負の屈折力を有する第３レンズ群と、
正の屈折力を有する第４レンズ群と、
負の屈折力を有する最終レンズ群である第５レンズ群と、からなり、
更に、開口絞りを備え、
広角端から望遠端への変倍時、各レンズ群の間隔が変化し、
第１レンズ群と開口絞りは物体側へ移動し、
無限遠物点から近距離物点への合焦時、第３レンズ群のみが移動し、
以下の条件式を満足することを特徴とする。
０．２＜（βlt／βlw）／（ｆt／ｆw）＜０．７
２．１５＜Ｄaiw／（ｔａｎωt×ｆt）＜６．０
１．４＜｜Ｓt｜＜７
−６．６＜ｆl／ｆw＜−０．８
ここで、
βltは、望遠端における最終レンズ群の横倍率、
βlwは、広角端における最終レンズ群の横倍率、
ｆtは、望遠端におけるズームレンズ全系の焦点距離、
ｆwは、広角端におけるズームレンズ全系の焦点距離、
Ｄaiwは、広角端における前記開口絞りと像面との間隔、
ωtは、望遠端における半画角、
Ｓt＝（１−β3t×β3t）×βct×βct
β3tは、望遠端における前記第３レンズ群の横倍率、
βctは、望遠端における前記第３レンズ群よりも像側に位置する全部のレンズ群の合成横倍率、
ｆlは、前記最終レンズ群の焦点距離、
である。
また、本発明の別のズームレンズは、
物体側から順に、
正の屈折力を有する第１レンズ群と、
負の屈折力を有する第２レンズ群と、
負の屈折力を有する第３レンズ群と、
正の屈折力を有する第４レンズ群と、
負の屈折力を有する最終レンズ群である第５レンズ群と、からなり、
更に、開口絞りを備え、
前記開口絞りは前記第３レンズ群内の最も像側に位置するレンズから像面の間に配置され、
広角端から望遠端への変倍時、各レンズ群の間隔が変化し、
前記第１レンズ群は物体側へ移動し、前記開口絞りは物体側へ移動し、前記第５レンズ群は物体側へ移動し、
以下の条件式を満足することを特徴とする。
０．２＜（βlt／βlw）／（ｆt／ｆw）＜０．７
２．１５＜Ｄaiw／（ｔａｎωt×ｆt）＜６．０
−６．６＜ｆl／ｆw＜−０．８
ここで、
βltは、望遠端における前記最終レンズ群の横倍率、
βlwは、広角端における前記最終レンズ群の横倍率、
ｆtは、望遠端における前記ズームレンズ全系の焦点距離、
ｆwは、広角端における前記ズームレンズ全系の焦点距離、
Ｄaiwは、広角端における前記開口絞りと像面との間隔、
ωtは、望遠端における半画角、
ｆlは、前記最終レンズ群の焦点距離、
ある。
また、本発明の更に別のズームレンズは、
物体側から順に、
正の屈折力を有する第１レンズ群と、
負の屈折力を有する第２レンズ群と、
負の屈折力を有する第３レンズ群と、
正の屈折力を有する第４レンズ群と、
負の屈折力を有する最終レンズ群である第５レンズ群と、からなり、
更に、開口絞りを備え、
広角端から望遠端への変倍時、各レンズ群の間隔が変化し、
前記第１レンズ群と前記開口絞りは物体側へ移動し、
無限遠物点から近距離物点への合焦時、前記第３レンズ群のみが移動し、
以下の条件式を満足することを特徴とする。
０．２＜（βlt／βlw）／（ｆt／ｆw）＜０．７
２．１５＜Ｄaiw／（ｔａｎωt×ｆt）＜６．０
１．４＜｜Ｓt｜＜７
１．１＜（βlt／βlw）＜２．８
ここで、
βltは、望遠端における前記最終レンズ群の横倍率、
βlwは、広角端における前記最終レンズ群の横倍率、
ｆtは、望遠端における前記ズームレンズ全系の焦点距離、
ｆwは、広角端における前記ズームレンズ全系の焦点距離、
Ｄaiwは、広角端における前記開口絞りと像面との間隔、
ωtは、望遠端における半画角、
Ｓt＝（１−β3t×β3t）×βct×βct
β3tは、望遠端における前記第３レンズ群の横倍率、
βctは、望遠端における前記第３レンズ群よりも像側に位置する全部のレンズ群の合成横倍率、
である。
【００１３】
また、本発明の撮像装置は、
上記のズームレンズと、
撮像面を有する撮像素子を備えたことを特徴とする。
【発明の効果】
【００１４】
本発明によれば、諸収差が良好に補正され、なお且つ、全長が短いズームレンズ及びそれを備えた撮像装置を提供できる。
【図面の簡単な説明】
【００１５】
【図１】実施例１にかかるズームレンズの無限遠物点合焦時の光学構成を示す光軸に沿う断面図であり、（ａ）は広角端、（ｂ）は中間、（ｃ）は望遠端での断面図である。
【図２】実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３】実施例２にかかるズームレンズの無限遠物点合焦時の光学構成を示す光軸に沿う断面図であり、（ａ）は広角端、（ｂ）は中間、（ｃ）は望遠端での断面図である。
【図４】実施例２にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図５】実施例３にかかるズームレンズの無限遠物点合焦時の光学構成を示す光軸に沿う断面図であり、（ａ）は広角端、（ｂ）は中間、（ｃ）は望遠端での断面図である。
【図６】実施例３にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図７】実施例４にかかるズームレンズの無限遠物点合焦時の光学構成を示す光軸に沿う断面図であり、（ａ）は広角端、（ｂ）は中間、（ｃ）は望遠端での断面図である。
【図８】実施例４にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図９】実施例５にかかるズームレンズの無限遠物点合焦時の光学構成を示す光軸に沿う断面図であり、（ａ）は広角端、（ｂ）は中間、（ｃ）は望遠端での断面図である。
【図１０】実施例５にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１１】実施例６にかかるズームレンズの無限遠物点合焦時の光学構成を示す光軸に沿う断面図であり、（ａ）は広角端、（ｂ）は中間、（ｃ）は望遠端での断面図である。
【図１２】実施例６にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１３】実施例７にかかるズームレンズの無限遠物点合焦時の光学構成を示す光軸に沿う断面図であり、（ａ）は広角端、（ｂ）は中間、（ｃ）は望遠端での断面図である。
【図１４】実施例７にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１５】実施例８にかかるズームレンズの無限遠物点合焦時の光学構成を示す光軸に沿う断面図であり、（ａ）は広角端、（ｂ）は中間、（ｃ）は望遠端での断面図である。
【図１６】実施例８にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１７】実施例９にかかるズームレンズの無限遠物点合焦時の光学構成を示す光軸に沿う断面図であり、（ａ）は広角端、（ｂ）は中間、（ｃ）は望遠端での断面図である。
【図１８】実施例９にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図１９】実施例１０にかかるズームレンズの無限遠物点合焦時の光学構成を示す光軸に沿う断面図であり、（ａ）は広角端、（ｂ）は中間、（ｃ）は望遠端での断面図である。
【図２０】実施例１０にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２１】実施例１１にかかるズームレンズの無限遠物点合焦時の光学構成を示す光軸に沿う断面図であり、（ａ）は広角端、（ｂ）は中間、（ｃ）は望遠端での断面図である。
【図２２】実施例１１にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２３】実施例１２にかかるズームレンズの無限遠物点合焦時の光学構成を示す光軸に沿う断面図であり、（ａ）は広角端、（ｂ）は中間、（ｃ）は望遠端での断面図である。
【図２４】実施例１２にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２５】実施例１３にかかるズームレンズの無限遠物点合焦時の光学構成を示す光軸に沿う断面図であり、（ａ）は広角端、（ｂ）は中間、（ｃ）は望遠端での断面図である。
【図２６】実施例１３にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２７】実施例１４にかかるズームレンズの無限遠物点合焦時の光学構成を示す光軸に沿う断面図であり、（ａ）は広角端、（ｂ）は中間、（ｃ）は望遠端での断面図である。
【図２８】実施例１４にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図２９】実施例１５にかかるズームレンズの無限遠物点合焦時の光学構成を示す光軸に沿う断面図であり、（ａ）は広角端、（ｂ）は中間、（ｃ）は望遠端での断面図である。
【図３０】実施例１５にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３１】実施例１６にかかるズームレンズの無限遠物点合焦時の光学構成を示す光軸に沿う断面図であり、（ａ）は広角端、（ｂ）は中間、（ｃ）は望遠端での断面図である。
【図３２】実施例１６にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３３】実施例１７にかかるズームレンズの無限遠物点合焦時の光学構成を示す光軸に沿う断面図であり、（ａ）は広角端、（ｂ）は中間、（ｃ）は望遠端での断面図である。
【図３４】実施例１７にかかるズームレンズの無限遠物点合焦時における球面収差（ＳＡ）、非点収差（ＡＳ）、歪曲収差（ＤＴ）、倍率色収差（ＣＣ）を示す図であり、（ａ）〜（ｄ）は広角端、（ｅ）〜（ｈ）は中間、（ｉ）〜（ｌ）は望遠端での状態を示している。
【図３５】本実施例によるズームレンズを用いたコンパクトカメラの断面図である。
【図３６】本実施例によるデジタルカメラの外観を示す前方斜視図である。
【図３７】図３６のデジタルカメラの後方斜視図である。
【図３８】図３６のデジタルカメラの主要部の内部回路の構成ブロック図である。
【発明を実施するための形態】
【００１６】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１７】
また、以下で説明する構成及び条件式は、特段のことわりがない限り、無限遠物点に合焦した時の構成及び条件式である。また、レンズ面が非球面の場合は、近軸曲率半径をそのレンズ面の曲率半径とすれば良い。
【００１８】
また、「最も像側に位置するレンズ」や「最も物体側に位置するレンズ」を使ってレンズ群の構成を説明している場合、そのレンズ群が複数のレンズで構成されているとは限定されない。すなわち、そのレンズ群が１つのレンズからなる場合も含む。なお、レンズ群が１つのレンズからなる場合は、そのレンズが最も物体側に位置するレンズであり、同時に、最も像側に位置するレンズでもある。
【００１９】
本実施形態のズームレンズは、複数のレンズ群を有し、物体側から順に、正の屈折力を有する第１レンズ群と、負の屈折力を有する第２レンズ群と、負の屈折力を有する最終レンズ群と、を有し、最終レンズ群は、複数のレンズ群の中で最も像側に位置し、広角端から望遠端への変倍時、各レンズ群の間隔が変化し、第１レンズ群は物体側へ移動し、以下の条件式（１）を満足することを特徴とする。
０．２＜（βlt／βlw）／（ｆt／ｆw）＜０．７      （１）
ここで、
βltは、望遠端における最終レンズ群の横倍率、
βlwは、広角端における最終レンズ群の横倍率、
ｆtは、望遠端におけるズームレンズ全系の焦点距離、
ｆwは、広角端におけるズームレンズ全系の焦点距離、
である。
【００２０】
本実施形態のズームレンズは、複数のレンズ群を有し、物体側から順に、正の屈折力の第１レンズ群と、負の屈折力の第２レンズ群と、負の屈折力を有する最終レンズ群とを有する。ここで、最終レンズ群が負の屈折力を有しているため、光学系全体の主点をより物体側へ位置させることができる。その結果、光学系を小型化できる。
【００２１】
また、変倍時、各レンズ群の間隔が変化する。この場合、最終レンズ群と最終レンズ群よりも物体側に位置するレンズ群とによって、変倍作用を生じさせることができる。よって、最終レンズ群よりも物体側に位置するレンズ群における変倍の負担を軽減できる。
【００２２】
ここで、最終レンズ群を移動させることで、この変倍作用を生じさせることが好ましい。最終レンズ群を移動させることで、最終レンズ群に変倍作用を持たせることができる。そのため、最終レンズ群が変倍作用を持たない場合と比べて、最終レンズ群よりも物体側に位置するレンズ群における変倍の負担、特に、第２レンズ群における変倍の負担を軽減できる。
【００２３】
また、第２レンズ群における変倍の負担を軽減できると、望遠端において、第１レンズ群と第２レンズ群との間隔の増大を抑制できる。その結果、全長が長くなりやすい望遠端においても、ズームレンズの全長を短縮できる。更に条件式（１）を満足することで、ズームレンズの全長を短縮する効果を強めることができる。
【００２４】
条件式（１）は、最終レンズ群の変倍比（倍率）に関するものである。光学系全体の変倍比に対する最終レンズ群における変倍比（変倍の負担）が、条件式（１）を満足するようにすることが好ましい。
【００２５】
条件式（１）の下限値を下回らないようにすることで、最終レンズ群の変倍比をある程度大きくできる。この場合、最終レンズ群に適切な大きさの変倍作用を持たせることができる。これにより、最終レンズ群よりも物体側にあるレンズ群、特に第２レンズ群における変倍の負担を軽減できる。そして、第２レンズ群における変倍の負担が軽減できることで、上述のように、望遠端での第１レンズ群と第２レンズ群との間隔の増大を抑制できる。その結果、全長が長くなりやすい望遠端においても、ズームレンズの全長を短縮できる。
【００２６】
また、第２レンズ群における変倍の負担が軽減できることで、第１レンズ群で発生する収差が、第２レンズ群で拡大されることを抑制できる。そのため、光学系全体での球面収差や色収差の補正が容易になる。その結果、諸収差を良好に補正しつつ、ズームレンズの全長を短縮できる。
【００２７】
条件式（１）の上限値を上回らないようにすることで、最終レンズ群における変倍の負担の増大を抑制できる。そのため、変倍に伴う最終レンズ群の移動量の増大を抑制できる。その結果、全長が長くなりやすい望遠端においても、ズームレンズの全長を短縮できる。
【００２８】
さらに、最終レンズ群の移動量の増大を抑制できるので、変倍に伴う軸上光線の高さの変化を小さくできる。これにより、軸上収差の変動を抑えながら、変倍を行うことが可能になる。その結果、諸収差を良好に補正しつつ、ズームレンズの全長を短縮できる。
【００２９】
なお、条件式（１）に代えて、以下の条件式（１’）を満足すると良い。
０．２５＜（βlt／βlw）／（ｆt／ｆw）＜０．６８      （１’）
さらに、条件式（１）に代えて、以下の条件式（１’’）を満足するとなお良い。
０．３＜（βlt／βlw）／（ｆt／ｆw）＜０．６５      （１’’）
【００３０】
また、本実施形態のズームレンズでは、開口絞りを備え、広角端から望遠端への変倍時、開口絞りは物体側に移動し、以下の条件式（２）を満足することが好ましい。
２．１５＜Ｄaiw／（ｔａｎωt×ｆt）＜６．０      （２）
ここで、
Ｄaiwは、広角端における開口絞りと像面との間隔、
ωtは、望遠端における半画角、
ｆtは、望遠端におけるズームレンズ全系の焦点距離、
である。
【００３１】
条件式（２）は、広角端における開口絞りと像面との間隔と、望遠端における半画角と望遠端におけるズームレンズ全系の焦点距離の積との比をとったものである。
【００３２】
条件式（２）の下限値を下回らないようにすることで、開口絞りの位置を像面から適度に離すことができる。このようにすると、広角端において、第１レンズ群と第２レンズ群とを開口絞りの近くに配置できる。開口絞りの位置では軸外光線の高さが低いので、第１レンズ群と第２レンズ群とを通過する軸外光線の高さも低くなる。そのため、第１レンズ群と第２レンズ群とで、レンズ径を小さくできる。その結果、光学系を小型化できる。また、広角端における歪曲収差や非点収差などの軸外収差を良好に補正できる。
【００３３】
条件式（２）の上限値を上回らないようにすることで、開口絞りの位置を像面から離れすぎないようにすること（適度に像面に近づけること）ができる。これにより、広角端における開口絞りと像面との間隔を小さくできる。その結果、広角端におけるズームレンズの全長を短縮できる。
【００３４】
また、広角端から望遠端への変倍時に、開口絞りが物体側へ動くと、開口絞りはその動きによる各位置の中で望遠端において最も物体側に位置する。そのため、ズームレンズの全長は望遠端において長くなりやすい。そこで、条件式（２）の上限値を上回らないようにすることで、広角端において、開口絞りの位置を像面に近づけておくことができる。その結果、絞りよりも像側に配置されたレンズ群が移動する際のスペース、特に望遠端における移動スペースを適切に確保できる。そして、移動スペースが適切に確保されることで、絞りよりも像側に配置されたレンズ群の屈折力の増大を抑制できる。そのため、全長が長くなりやすい望遠端においても、ズームレンズの全長を短縮できる。また、球面収差の変動を抑制し易くなる。
【００３５】
上述のように、条件式（２）の上限値を上回らないようにすることで、絞りよりも像側に配置されたレンズ群が移動する際のスペースを確保できる。例えば、レンズ群Ａとレンズ群Ｂとの間に開口絞りが配置されているズームレンズでは、レンズ群Ｂとレンズ群Ｂよりも像側に配置されたレンズ群について、移動する際のスペースを確保できる。また、レンズ群Ｃ中（レンズ群Ｃの内部）に開口絞りが配置されているズームレンズでは、レンズ群Ｃとレンズ群Ｃよりも像側に配置されたレンズ群について、移動する際のスペースを確保できる。
【００３６】
なお、条件式（２）に代えて、以下の条件式（２’）を満足すると良い。
２．１５＜Ｄaiw／（ｔａｎωt×ｆt）＜５．５      （２’）
さらに、条件式（２）に代えて、以下の条件式（２’’）を満足するとなお良い。
２．２＜Ｄaiw／（ｔａｎωt×ｆt）＜５．０      （２’’）
【００３７】
また、本実施形態のズームレンズでは、第２レンズ群と最終レンズ群との間に、負の屈折力を有する第３レンズ群を有し、無限遠物点から近距離物点への合焦時、第３レンズ群のみが移動し、以下の条件式（３）を満足することが好ましい。
１．４＜｜Ｓt｜＜７      （３）
ここで、
Ｓt＝（１−β3t×β3t）×βct×βct
β3tは、望遠端における第３レンズ群の横倍率、
βctは、望遠端における第３レンズ群よりも像側に位置するレンズ群の合成横倍率、
である。
【００３８】
広角端から望遠端の変倍時に、非点収差の発生量が変化する。この変化は、光学系の結像性能の劣化の原因となる。そこで、第３レンズ群の屈折力を負にすると共に、変倍時に第２レンズ群と第３レンズ群との間隔を変化させる。このようにすることで、広角端から望遠端にわたり、非点収差の補正を良好に行うことができる。その結果、光学系の結像性能を向上させることができる（諸収差が良好に補正された光学系を実現できる）。
【００３９】
条件式（３）は、第３レンズ群で合焦を行う場合の望遠端での合焦感度（フォーカス感度）に関するものである。この合焦感度は、第３レンズ群の移動量に対する像面の移動量を近軸的に示すものである。第３レンズ群で合焦を行う場合、合焦感度には、第３レンズ群よりも像側に位置するレンズ群の合成横倍率が含まれる。なお、第３レンズ群よりも像側には複数のレンズ群がある。合成横倍率とは、複数のレンズ群各々の横倍率の積である。
【００４０】
条件式（３）を満足することで、非点収差や歪曲差が良好に補正され、なお且つ、全長が短いズームレンズを実現できる。また、近距離物点（至近物点）に合焦したときも良好な結像性能を確保できる。すなわち、諸収差が良好に補正された像が得られる。
【００４１】
条件式（３）の下限値を下回らないようにすることで、合焦感度を適度に高くできる。そのため、合焦時の第３レンズ群の移動量の増大や、合焦時における非点収差の変動を抑制できる。また、第３レンズ群の移動量の増大が抑制されることで、第３レンズ群の移動に必要なスペースを小さくできる。その結果、ズームレンズの全長を短縮できる。
【００４２】
条件式（３）の上限値を上回らないようにすることで、合焦感度が高くなり過ぎることを抑制できる。これにより、第３レンズ群における非点収差の発生を抑制できる。
【００４３】
なお、条件式（３）に代えて、以下の条件式（３’）を満足すると良い。
１．５＜｜Ｓt｜＜６      （３’）
さらに、条件式（３）に代えて、以下の条件式（３’’）を満足するとなお良い。
１．５５＜｜Ｓt｜＜５      （３’’）
【００４４】
また、合焦時の第３レンズ群の移動は、物体側への移動が好ましい。上述のように、本実施形態のズームレンズでは、第３レンズ群は負の屈折力を有している。ここで、合焦時に負の屈折力を有するレンズ群を物体側に移動させると、近距離物点に合焦した時の入射瞳の位置は、無限遠物点に合焦した時の入射瞳の位置よりも物体側に移動した位置になる。入射瞳の位置が物体側に移動すると、第１レンズ群内を通る軸外光線の高さの増大（高くなること）を抑制できる。そのため、第１レンズ群における非点収差の変動を抑制できる。その結果、近距離物点に合焦した時も、諸収差が良好に補正された像が得られる。
【００４５】
また、本実施形態のズームレンズでは、以下の条件式（４）を満足することが好ましい。
−６．６＜ｆl／ｆw＜−０．８      （４）
ここで、
ｆlは、最終レンズ群の焦点距離、
ｆwは、広角端におけるズームレンズ全系の焦点距離、
である。
【００４６】
条件式（４）は、最終レンズ群の焦点距離と広角端におけるズームレンズ全系の焦点距離の比をとったものである。
【００４７】
条件式（４）を満足することで、歪曲収差や非点収差を良好に補正できる。その結果、良好な結像性能を持つ光学系を実現できる。
【００４８】
なお、条件式（４）に代えて、以下の条件式（４’）を満足すると良い。
−６．５７＜ｆl／ｆw＜−０．９      （４’）
さらに、条件式（４）に代えて、以下の条件式（４’’）を満足するとなお良い。
−６．５７＜ｆl／ｆw＜−１．１      （４’’）
【００４９】
また、本実施形態のズームレンズでは、以下の条件式（５）を満足することが好ましい。
１．０５＜ＥＸＰw／（ｔａｎωt×ｆt）＜５．２      （５）
ここで、
ＥＸＰwは、広角端における像面と射出瞳との間隔、
ωtは、望遠端における半画角、
ｆtは、望遠端におけるズームレンズ全系の焦点距離、
である。
【００５０】
条件式（５）は、広角端における像面と射出瞳との間隔と、望遠端における半画角と望遠端におけるズームレンズ全系の焦点距離の積との比をとったものである。
【００５１】
条件式（５）の下限値を下回らないようにすることで、射出瞳の位置を像面から適度に離すことが可能となる。これにより、開口絞りの位置を像面から適度に離すことができる。このようにすると、広角端において、第１レンズ群と第２レンズ群とを開口絞りの近くに配置できる。開口絞りの位置では軸外光線の高さが低いので、第１レンズ群と第２レンズ群とを通過する軸外光線の高さは低くなる。そのため、第１レンズ群と第２レンズ群とで、レンズ径を小さくできる。その結果、光学系を小型化できる。また、広角端における歪曲収差や非点収差などの軸外収差を良好に補正できる。
【００５２】
条件式（５）の上限値を上回らないようにすることで、射出瞳の位置を像面から離れすぎないようにすること（適度に像面に近づけること）ができる。このようにすると、開口絞りの位置を像面から離れすぎないようにすること（適度に像面に近づけること）ができる。これにより、広角端における開口絞りと像面との間隔を小さくできる。その結果、広角端におけるズームレンズの全長を短縮できる。
【００５３】
また、広角端から望遠端への変倍時に、開口絞りが物体側へ動くと、開口絞りはその動きによる各位置の中で望遠端において最も物体側に位置する。そのため、ズームレンズの全長は望遠端において長くなりやすい。そこで、条件式（５）の上限値を上回らないようにすることで、広角端において、開口絞りの位置を像面に近づけておくことができる。その結果、絞りよりも像側に配置されたレンズ群が移動する際のスペース、特に望遠端における移動スペースを適切に確保できる。そして、移動スペースが適切に確保されることで、絞りよりも像側に配置されたレンズ群の屈折力の増大を抑制できる。そのため、全長が長くなりやすい望遠端においても、ズームレンズの全長を短縮できる。また、球面収差の変動を抑制し易くなる。
【００５４】
なお、条件式（５）に代えて、以下の条件式（５’）を満足すると良い。
１．０７＜ＥＸＰw／（ｔａｎωt×ｆt）＜４．７      （５’）
さらに、条件式（５）に代えて、以下の条件式（５’’）を満足するとなお良い。
１．１＜ＥＸＰw／（ｔａｎωt×ｆt）＜４．２      （５’’）
【００５５】
また、本実施形態のズームレンズでは、以下の条件式（６）を満足することが好ましい。
１．０＜βlw＜１．５      （６）
ここで、
βlwは、広角端における最終レンズ群の横倍率、
である。
【００５６】
条件式（６）は、広角端における最終レンズ群の横倍率に関するものである。
【００５７】
条件式（６）を満足することで、第１レンズ群と第２レンズ群で発生した倍率色収差、歪曲収差及び非点収差などの軸外収差を良好に補正できる。その結果、良好な結像性能を持つ光学系を実現できる。
【００５８】
なお、条件式（６）に代えて、以下の条件式（６’）を満足すると良い。
１．０＜βlw＜１．４      （６’）
さらに、条件式（６）に代えて、以下の条件式（６’’）を満足するとなお良い。
１．０＜βlw＜１．３３      （６’’）
【００５９】
また、本実施形態のズームレンズでは、最終レンズ群の最も像側に位置するレンズは、以下の条件式（７）を満足することが好ましい。
−９＜（ｒlf＋ｒlb）／（ｒlf−ｒlb）＜−０．１      （７）
ここで、
ｒlfは、最終レンズ群の最も像側に位置するレンズの物体側レンズ面の曲率半径、
ｒlbは、最終レンズ群の最も像側に位置するレンズの像側レンズ面の曲率半径、
である。
【００６０】
条件式（７）は、最終レンズ群の最も像側に位置するレンズのシェーピングファクター（形状）に関するものである。なお、レンズ面が非球面の場合、ｒlfやｒlbは近軸曲率半径である。
【００６１】
条件式（７）を満足することで、広角端における歪曲収差の補正、及び望遠側における球面収差の補正を良好に行うことができる。
【００６２】
なお、条件式（７）に代えて、以下の条件式（７’）を満足すると良い。
−７＜（ｒlf＋ｒlb）／（ｒlf−ｒlb）＜−０．２      （７’）
さらに、条件式（７）に代えて、以下の条件式（７’’）を満足するとなお良い。
−６＜（ｒlf＋ｒlb）／（ｒlf−ｒlb）＜−０．４      （７’’）
【００６３】
また、本実施形態のズームレンズでは、第３レンズ群の負レンズの中で最も物体側に位置する負レンズは物体側に凹面を向けた負レンズであり、以下の条件式（８）を満足することが好ましい。
−５＜（ｒff＋ｒfb）／（ｒff−ｒfb）＜−０．１      （８）
ここで、
ｒffは、物体側に凹面を向けた負レンズの物体側レンズ面の曲率半径、
ｒfbは、物体側に凹面を向けた負レンズの像側レンズ面の曲率半径、
である。
【００６４】
合焦のために負レンズを移動させた場合、正レンズを移動させる場合に比べて、合焦時の第１レンズ群を通過する軸外光線の高さの増大を抑制できる。そこで、第３レンズ群の負レンズの中で最も物体側に位置する負レンズを移動させることが好ましい。これにより、合焦時の非点収差の変動を抑制できる。また、この負レンズに凹面を持たせ、この凹面が物体側に向くように負レンズを配置することで、望遠端における球面収差の発生を抑制できる。
【００６５】
条件式（８）は、第３レンズ群中の負レンズの中で最も物体側に位置する負レンズのシェーピングファクター（形状）に関するものである。なお、レンズ面が非球面の場合、ｒffやｒfbは近軸曲率半径である。
【００６６】
条件式（８）を満足することで、広角端における非点収差の補正、及び望遠側における球面収差の補正を良好に行うことができる。
【００６７】
なお、条件式（８）に代えて、以下の条件式（８’）を満足すると良い。
−４＜（ｒff＋ｒfb）／（ｒff−ｒfb）＜−０．２      （８’）
さらに、条件式（８）に代えて、以下の条件式（８’’）を満足するとなお良い。
−３＜（ｒff＋ｒfb）／（ｒff−ｒfb）＜−０．３      （８’’）
【００６８】
また、本実施形態のズームレンズでは、以下の条件式（９）を満足することが好ましい。
１．１＜（βlt／βlw）＜２．８      （９）
ここで、
βltは、望遠端における最終レンズ群の横倍率、
βlwは、広角端における最終レンズ群の横倍率、
である。
【００６９】
条件式（９）は、最終レンズ群の変倍比に関するものである。
【００７０】
条件式（９）を満足することで、変倍に伴う非点収差や倍率色収差の変動を抑制できる。その結果、良好な結像性能を持つ光学系を実現できる。
【００７１】
なお、条件式（９）に代えて、以下の条件式（９’）を満足すると良い。
１．１５＜（βlt／βlw）＜２．４      （９’）
さらに、条件式（９）に代えて、以下の条件式（９’’）を満足するとなお良い。
１．１７＜（βlt／βlw）＜２      （９’’）
【００７２】
また、本実施形態のズームレンズでは、最終レンズ群中に配置される最も像側のレンズは負の屈折力を有することが好ましい。
【００７３】
このようにすることで、射出瞳をより像側に位置させることができる。その結果、開口絞りをより像側に位置させることができる。更に、最終レンズ群では、光線高が低くなる。そこで、最も像側のレンズの屈折力を負にすることにより、ペッツバール和を小さくすることができる。その結果、非点収差の補正を良好に行なうことができる。
【００７４】
また、本実施形態のズームレンズでは、広角端から望遠端への変倍時、最終レンズ群は物体側へ移動することが好ましい。
【００７５】
このようにすることで、軸外光線の光線高を低く抑えられる。その結果、望遠端での最終レンズ群のレンズ径を小さく抑えることができる。また、軸外収差の発生を抑制できる。
【００７６】
また、本実施形態のズームレンズでは、開口絞りを備え、開口絞りは、２つのレンズの間に配置され、２つのレンズのうち、一方のレンズは第２レンズ群の最も像側に位置し、他方のレンズは最終レンズ群の最も物体側に位置することが好ましい。
【００７７】
このようにすることで、最終レンズ群の軸外光線の高さを低く抑えることができる。そのため、非点収差や倍率色収差の発生を抑制できる。更に、負の屈折力を有する第２レンズ群と負の屈折力を有する最終レンズ群が絞りを挟んで配置されることにより、歪曲収差や倍率色収差の補正を良好に行うことができる。
【００７８】
また、本実施形態のズームレンズでは、開口絞りを有し、複数のレンズ群は、５つのレンズ群からなり、第２レンズ群と最終レンズ群の間に、物体側から順に、負の屈折力を有する第３レンズ群と、正の屈折力を有する第４レンズ群と、を有し、最終レンズ群は第５レンズ群であり、開口絞りは第３レンズ群内の最も像側に位置するレンズから結像面の間に配置され、広角端から望遠端への変倍時、開口絞りは物体側に移動し、第５レンズ群は物体側へ移動することが好ましい。
【００７９】
ズームレンズを５つのレンズ群で構成し、屈折力の配置を、物体側から順に、正の屈折力、負の屈折力、負の屈折力、正の屈折力及び負の屈折力とする。そして、このように構成し、開口絞りを、第３レンズ群内の最も像側に位置するレンズから像面の間に位置することにより、第５レンズ群において軸外光線の高を低く抑えることができる。その結果、非点収差や倍率色収差の発生を抑制できる。
【００８０】
更に、負の屈折力を有する第２レンズ群と負の屈折力を有する第５レンズ群が絞りを挟んで配置されることにより、歪曲収差や倍率色収差の補正を良好に行うことができる。
【００８１】
また、広角端から望遠端の変倍時に、非点収差の発生量が変化する。この変化は、光学系の結像性能の劣化の原因となる。そこで、第３レンズ群の屈折力を負にすると共に、変倍時に第２レンズ群と第３レンズ群との間隔を変化させる。このようにすることで、広角端から望遠端にわたり、非点収差の補正を良好に行うことができる。その結果、光学系の結像性能を向上させることができる。
【００８２】
更に、第５レンズ群が負の屈折力を有しているため、主点をより物体側へ位置させることができる。その結果、光学系を小型化できる。
【００８３】
また、広角端から望遠端の変倍時、第５レンズ群を物体側へ移動させることで、第５レンズ群に変倍作用を持たせることができる。そのため、第５レンズ群が変倍作用を持たない場合と比べて、第２レンズ群における変倍の負担を軽減できる。第２レンズ群における変倍の負担を軽減できると、望遠端において、第１レンズ群と第２レンズ群との間隔が広がることを抑制できる。その結果、全長が長くなりやすい望遠端においても、ズームレンズの全長を短縮できる。
【００８４】
また、第２レンズ群における変倍の負担が軽減できることで、第１レンズ群で発生する収差が、第２レンズ群で拡大されることを抑制できる。そのため、光学系全体での球面収差や色収差の補正が容易になる。その結果、諸収差を良好に補正しつつ、ズームレンズの全長を短縮できる。
【００８５】
更に、軸外光線の光線高を低く抑えられる。その結果、望遠端での最終レンズ群のレンズ径を小さく抑えることができる。また、軸外収差の発生を抑制できる。
【００８６】
なお、第１レンズ群は正レンズを有することが好ましい。正レンズでは、物体側面が物体側に凸の面であることが好ましい。また、第１レンズ群は負レンズを有していても良い。この負レンズは正レンズよりも物体側に配置されていることが好ましい。この負レンズでは、物体側面が物体側に凸の面、又は像側面が物体側に凸の面であることが好ましい。
【００８７】
また、正レンズと負レンズとは、接合されていることが好ましい。このとき、接合面は物体側に凸の面であることが好ましい。
【００８８】
なお、第２レンズ群は、負レンズと、正レンズと、を有することが好ましい。そして、負レンズは、正レンズよりも物体側に配置されていることが好ましい。また、負レンズでは、物体側面が物体側に凹の面、又は像側面が像側に凹の面であることが好ましい。また、正レンズでは、物体側面が物体側に凸の面、又は像側面が像側に凸の面であることが好ましい。
【００８９】
第２レンズ群は、更に別の負レンズを有していても良い。別の負レンズでは、物体側面が物体側に凹の面、又は像側面が像側に凹の面であることが好ましい。また、この別の負レンズと正レンズとが接合されていることが好ましい。接合レンズは、負レンズよりも像側に配置されていることが好ましい。接合レンズの接合面は、物体側に凸の面、又は像側に凸の面であることが好ましい。
【００９０】
また、第４レンズ群は、正レンズと、負レンズと、を有することが好ましい。そして、正レンズは、負レンズよりも物体側に配置されていることが好ましい。また、正レンズでは、像側面が像側に凸の面であることが好ましい。また、負レンズでは、物体側面が物体側に凹の面、又は像側面が像側に凹の面であることが好ましい。
【００９１】
第４レンズ群は、更に別の正レンズを有していても良い。別の正レンズでは、物体側面が物体側に凸の面であることが好ましい。また、この別の正レンズと負レンズとが接合されていることが好ましい。接合レンズは、正レンズよりも像側に配置されていることが好ましい。接合レンズの接合面は、物体側に凸の面、又は像側に凸の面であることが好ましい。
【００９２】
第４レンズ群は、更に別の接合レンズを有していても良い。別の接合レンズは、負レンズと正レンズで構成されていることが好ましい。負レンズでは、像側面が像側に凹の面であることが好ましい。また、正レンズでは、物体側面が物体側に凸の面、又は像側面が像側に凸の面であることが好ましい。接合レンズの接合面は、物体側に凸の面、又は像側に凸の面であることが好ましい。
【００９３】
第５レンズ群は、正レンズと、負レンズと、を有することが好ましい。そして、正レンズは、負レンズよりも物体側に配置されていることが好ましい。また、正レンズでは、物体側面が像側に凸の面、又は像側面が像側に凸の面であることが好ましい。また、負レンズでは、物体側面が物体側に凹の面であることが好ましい。
【００９４】
また、本実施形態の撮像装置は、上記のいずれかのズームレンズと、撮像面を有する撮像素子を備えることを特徴とする。
【００９５】
このようにすることで、中心から周辺まで諸収差が補正され、なお且つ、光学系の全長が短いズームレンズを備えた撮像装置を提供できる。
【００９６】
なお、各条件式について、下限値、上限値の何れかまたは双方を限定することで、その機能をより確実にできるので好ましい。また、各条件式について、より限定した条件式の数値範囲の上限値あるいは下限値のみを限定しても構わない。また、条件式の数値範囲を限定するにあたっては、上記の各条件式の上限値又は下限値を、上記の他の条件式の上限値又は下限値としても良い。
【００９７】
以下に、本発明のある態様に係るズームレンズの実施例を、図面に基づいて詳細に説明する。なお、この実施例によりこの発明が限定されるものではない。また、屈折力の正、負は近軸曲率半径に基づく。また、実施例１２は参考例である。
【００９８】
実施例１に係るズームレンズについて説明する。図１は、実施例１に係るズームレンズの無限遠物点合焦時の光学構成を示す光軸に沿う断面図（レンズ断面図）であって、（ａ）は広角端での断面図、（ｂ）は中間焦点距離状態での断面図、（ｃ）は望遠端での断面図である。なお、以下全ての実施例において、断面図中、Ｃはカバーガラス、Ｉは撮像素子の撮像面を示している。
【００９９】
図２は、実施例１に係るズームレンズの無限遠物点合焦時における収差図である。ここで、ωは半画角である。なお、収差図における記号は、後述の実施例においても共通である。
【０１００】
また、これらの収差図において、（ａ）、（ｂ）、（ｃ）、（ｄ）は、それぞれ、広角端における球面収差（ＳＡ）、非点収差（ＡＳ）、歪曲収差（ＤＴ）、倍率色収差（ＣＣ）を示している。
【０１０１】
また、（ｅ）、（ｆ）、（ｇ）、（ｈ）は、それぞれ、中間焦点距離状態における球面収差（ＳＡ）、非点収差（ＡＳ）、歪曲収差（ＤＴ）、倍率色収差（ＣＣ）を示している。
【０１０２】
また、（ｉ）、（ｊ）、（ｋ）、（ｌ）は、それぞれ、望遠端における球面収差（ＳＡ）、非点収差（ＡＳ）、歪曲収差（ＤＴ）、倍率色収差（ＣＣ）を示している。
【０１０３】
実施例１のズームレンズは、図１に示すように、物体側より順に、正屈折力の第１レンズ群Ｇ１と、負屈折力の第２レンズ群Ｇ２と、負屈折力の第３レンズ群Ｇ３と、正屈折力の第４レンズ群Ｇ４と、負屈折力の第５レンズ群Ｇ５と、からなる。ここで、第５レンズ群Ｇ５が最終レンズ群である。
【０１０４】
第１レンズ群Ｇ１は、物体側に凸面を向けた負メニスカスレンズＬ１と、物体側に凸面を向けた正メニスカスレンズＬ２と、からなる。ここで、負メニスカスレンズＬ１と正メニスカスレンズＬ２とが接合されている。
【０１０５】
第２レンズ群Ｇ２は、物体側に凸面を向けた負メニスカスレンズＬ３と、両凹負レンズＬ４と、両凸正レンズＬ５と、からなる。ここで、両凹負レンズＬ４と両凸正レンズＬ５とが接合されている。
【０１０６】
第３レンズ群Ｇ３は、像側に凸面を向けた負メニスカスレンズＬ６からなる。
【０１０７】
第４レンズ群Ｇ４は、両凸正レンズＬ７と、両凸正レンズＬ８と、両凹負レンズＬ９と、両凸正レンズＬ１０と、からなる。ここで、両凸正レンズＬ８と両凹負レンズＬ９とが接合されている。
【０１０８】
第５レンズ群Ｇ５は、像側に凸面を向けた正メニスカスレンズＬ１１と、両凹負レンズＬ１２と、像側に凸面を向けた負メニスカスレンズＬ１３と、からなる。
【０１０９】
また、開口絞りＳは、両凸正レンズＬ５と正メニスカスレンズＬ１１との間に配置されている。両凸正レンズＬ５は第２レンズ群Ｇ２の最も像側に位置し、正メニスカスレンズＬ１１は第５レンズ群Ｇ５の最も物体側に位置している。より具体的には、開口絞りＳは、負メニスカスレンズＬ６と両凸正レンズＬ７との間に配置されている。
【０１１０】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は、広がった後狭まる。第３レンズ群Ｇ３と第４レンズ群Ｇ４との間隔は狭まる。第４レンズ群Ｇ４と第５レンズ群Ｇ５との間隔は狭まる。
【０１１１】
第１レンズ群Ｇ１、第２レンズ群Ｇ２、第３レンズ群Ｇ３、第４レンズ群Ｇ４及び第５レンズ群Ｇ５は、いずれも物体側に移動する。開口絞りＳは、第４レンズ群Ｇ４と共に物体側に移動する。
【０１１２】
また、被写体への合焦は第３レンズ群Ｇ３の移動によって行われる。無限遠物点から近距離物点への合焦時、負メニスカスレンズＬ６は物体側へ移動する。
【０１１３】
非球面は、負メニスカスレンズＬ３の両面と、負メニスカスレンズＬ６の物体側面と、両凸正レンズＬ７の両面と、両凸正レンズＬ１０の両面と、両凹負レンズＬ１２の物体側面と、負メニスカスレンズＬ１３の像側面と、の合計９面に設けられている。
【０１１４】
次に、実施例２に係るズームレンズについて説明する。図３は、実施例２に係るズームレンズの無限遠物点合焦時の光学構成を示す光軸に沿う断面図である。図４は実施例２に係るズームレンズの無限遠物点合焦時における収差図である。
【０１１５】
実施例２のズームレンズは、図３に示すように、物体側より順に、正屈折力の第１レンズ群Ｇ１と、負屈折力の第２レンズ群Ｇ２と、負屈折力の第３レンズ群Ｇ３と、正屈折力の第４レンズ群Ｇ４と、負屈折力の第５レンズ群Ｇ５と、からなる。ここで、第５レンズ群Ｇ５が最終レンズ群である。
【０１１６】
第１レンズ群Ｇ１は、物体側に凸面を向けた負メニスカスレンズＬ１と、物体側に凸面を向けた正メニスカスレンズＬ２と、からなる。ここで、負メニスカスレンズＬ１と正メニスカスレンズＬ２とが接合されている。
【０１１７】
第２レンズ群Ｇ２は、物体側に凸面を向けた負メニスカスレンズＬ３と、両凹負レンズＬ４と、両凸正レンズＬ５と、からなる。ここで、両凹負レンズＬ４と両凸正レンズＬ５とが接合されている。
【０１１８】
第３レンズ群Ｇ３は、像側に凸面を向けた負メニスカスレンズＬ６からなる。
【０１１９】
第４レンズ群Ｇ４は、両凸正レンズＬ７と、両凸正レンズＬ８と、両凹負レンズＬ９と、物体側に凸面を向けた負メニスカスレンズＬ１０と、両凸正レンズＬ１１と、からなる。ここで、両凸正レンズＬ８と両凹負レンズＬ９とが接合されている。また、負メニスカスレンズＬ１０と両凸正レンズＬ１１とが接合されている。
【０１２０】
第５レンズ群Ｇ５は、像側に凸面を向けた正メニスカスレンズＬ１２と、像側に凸面を向けた負メニスカスレンズＬ１３と、からなる。
【０１２１】
また、開口絞りＳは、両凸正レンズＬ５と正メニスカスレンズＬ１２との間に配置されている。両凸正レンズＬ５は第２レンズ群Ｇ２の最も像側に位置し、正メニスカスレンズＬ１２は第５レンズ群Ｇ５の最も物体側に位置している。より具体的には、開口絞りＳは、負メニスカスレンズＬ６と両凸正レンズＬ７との間に配置されている。
【０１２２】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は狭まる。第４レンズ群Ｇ４と第５レンズ群Ｇ５との間隔は狭まる。
【０１２３】
第１レンズ群Ｇ１、第３レンズ群Ｇ３、第４レンズ群Ｇ４及び第５レンズ群Ｇ５は、いずれも物体側に移動する。第２レンズ群Ｇ２は、像側に移動した後、物体側に移動する。開口絞りＳは、第４レンズ群Ｇ４と共に物体側に移動する。
【０１２４】
また、被写体への合焦は第３レンズ群Ｇ３の移動によって行われる。無限遠物点から近距離物点への合焦時、負メニスカスレンズＬ６は物体側へ移動する。
【０１２５】
非球面は、負メニスカスレンズＬ３の両面と、負メニスカスレンズＬ６の物体側面と、両凸正レンズＬ７の両面と、両凸正レンズＬ１１の像側面と、負メニスカスレンズＬ１３の像側面と、の合計７面に設けられている。
【０１２６】
次に、実施例３に係るズームレンズについて説明する。図５は、実施例３に係るズームレンズの無限遠物点合焦時の光学構成を示す光軸に沿う断面図である。図６は実施例３に係るズームレンズの無限遠物点合焦時における収差図である。
【０１２７】
実施例３のズームレンズは、図５に示すように、物体側より順に、正屈折力の第１レンズ群Ｇ１と、負屈折力の第２レンズ群Ｇ２と、負屈折力の第３レンズ群Ｇ３と、正屈折力の第４レンズ群Ｇ４と、負屈折力の第５レンズ群Ｇ５と、からなる。ここで、第５レンズ群Ｇ５が最終レンズ群である。
【０１２８】
第１レンズ群Ｇ１は、物体側に凸面を向けた負メニスカスレンズＬ１と、物体側に凸面を向けた正メニスカスレンズＬ２と、からなる。ここで、負メニスカスレンズＬ１と正メニスカスレンズＬ２とが接合されている。
【０１２９】
第２レンズ群Ｇ２は、両凹負レンズＬ３と、両凹負レンズＬ４と、両凸正レンズＬ５と、からなる。ここで、両凹負レンズＬ４と両凸正レンズＬ５とが接合されている。
【０１３０】
第３レンズ群Ｇ３は、像側に凸面を向けた負メニスカスレンズＬ６からなる。
【０１３１】
第４レンズ群Ｇ４は、両凸正レンズＬ７と、両凸正レンズＬ８と、両凹負レンズＬ９と、物体側に凸面を向けた負メニスカスレンズＬ１０と、両凸正レンズＬ１１と、からなる。ここで、両凸正レンズＬ８と両凹負レンズＬ９とが接合されている。また、負メニスカスレンズＬ１０と両凸正レンズＬ１１とが接合されている。
【０１３２】
第５レンズ群Ｇ５は、像側に凸面を向けた正メニスカスレンズＬ１２と、像側に凸面を向けた正メニスカスレンズＬ１３と、像側に凸面を向けた負メニスカスレンズＬ１４と、からなる。
【０１３３】
また、開口絞りＳは、両凸正レンズＬ５と正メニスカスレンズＬ１２との間に配置されている。両凸正レンズＬ５は第２レンズ群Ｇ２の最も像側に位置し、正メニスカスレンズＬ１２は第５レンズ群Ｇ５の最も物体側に位置している。より具体的には、開口絞りＳは、両凸正レンズＬ７と両凸正レンズＬ８との間（第４レンズ群Ｇ４中）に配置されている。
【０１３４】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は狭まる。第４レンズ群Ｇ４と第５レンズ群Ｇ５との間隔は狭まる。
【０１３５】
第１レンズ群Ｇ１、第３レンズ群Ｇ３、第４レンズ群Ｇ４及び第５レンズ群Ｇ５は、いずれも物体側に移動する。第２レンズ群Ｇ２は、像側に移動した後、物体側に移動する。開口絞りＳは、第４レンズ群Ｇ４と共に物体側に移動する。
【０１３６】
また、被写体への合焦は第３レンズ群Ｇ３の移動によって行われる。無限遠物点から近距離物点への合焦時、負メニスカスレンズＬ６は物体側へ移動する。
【０１３７】
非球面は、両凹負レンズＬ３の両面と、負メニスカスレンズＬ６の物体側面と、両凸正レンズＬ７の両面と、両凸正レンズＬ１１の像側面と、負メニスカスレンズＬ１４の像側面と、の合計７面に設けられている。
【０１３８】
次に、実施例４に係るズームレンズについて説明する。図７は、実施例４に係るズームレンズの無限遠物点合焦時の光学構成を示す光軸に沿う断面図である。図８は実施例４に係るズームレンズの無限遠物点合焦時における収差図である。
【０１３９】
実施例４のズームレンズは、図７に示すように、物体側より順に、正屈折力の第１レンズ群Ｇ１と、負屈折力の第２レンズ群Ｇ２と、負屈折力の第３レンズ群Ｇ３と、正屈折力の第４レンズ群Ｇ４と、負屈折力の第５レンズ群Ｇ５と、からなる。ここで、第５レンズ群Ｇ５が最終レンズ群である。
【０１４０】
第１レンズ群Ｇ１は、物体側に凸面を向けた負メニスカスレンズＬ１と、物体側に凸面を向けた正メニスカスレンズＬ２と、からなる。ここで、負メニスカスレンズＬ１と正メニスカスレンズＬ２とが接合されている。
【０１４１】
第２レンズ群Ｇ２は、物体側に凸面を向けた負メニスカスレンズＬ３と、両凹負レンズＬ４と、両凸正レンズＬ５と、からなる。ここで、両凹負レンズＬ４と両凸正レンズＬ５とが接合されている。
【０１４２】
第３レンズ群Ｇ３は、像側に凸面を向けた負メニスカスレンズＬ６からなる。
【０１４３】
第４レンズ群Ｇ４は、両凸正レンズＬ７と、物体側に凸面を向けた負メニスカスレンズＬ８と、物体側に凸面を向けた正メニスカスレンズＬ９と、両凸正レンズＬ１０と、からなる。ここで、負メニスカスレンズＬ８と正メニスカスレンズＬ９とが接合されている。
【０１４４】
第５レンズ群Ｇ５は、像側に凸面を向けた正メニスカスレンズＬ１１と、両凹負レンズＬ１２と、像側に凸面を向けた負メニスカスレンズＬ１３と、からなる。
【０１４５】
また、開口絞りＳは、両凸正レンズＬ５と正メニスカスレンズＬ１１との間に配置されている。両凸正レンズＬ５は第２レンズ群Ｇ２の最も像側に位置し、正メニスカスレンズＬ１１は第５レンズ群Ｇ５の最も物体側に位置している。より具体的には、開口絞りＳは、負メニスカスレンズＬ６と両凸正レンズＬ７との間に配置されている。
【０１４６】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は、広がった後狭まる。第３レンズ群Ｇ３と第４レンズ群Ｇ４との間隔は狭まる。第４レンズ群Ｇ４と第５レンズ群Ｇ５との間隔は狭まる。
【０１４７】
第１レンズ群Ｇ１、第２レンズ群Ｇ２、第３レンズ群Ｇ３、第４レンズ群Ｇ４及び第５レンズ群Ｇ５は、いずれも物体側に移動する。開口絞りＳは、第４レンズ群Ｇ４と共に物体側に移動する。
【０１４８】
また、被写体への合焦は第３レンズ群Ｇ３の移動によって行われる。無限遠物点から近距離物点への合焦時、負メニスカスレンズＬ６は物体側へ移動する。
【０１４９】
非球面は、負メニスカスレンズＬ３の両面と、負メニスカスレンズＬ６の物体側面と、両凸正レンズＬ７の両面と、両凸正レンズＬ１０の両面と、両凹負レンズＬ１２の物体側面と、負メニスカスレンズＬ１３の像側面と、の合計９面に設けられている。
【０１５０】
次に、実施例５に係るズームレンズについて説明する。図９は、実施例５に係るズームレンズの無限遠物点合焦時の光学構成を示す光軸に沿う断面図である。図１０は実施例５に係るズームレンズの無限遠物点合焦時における収差図である。
【０１５１】
実施例５のズームレンズは、図９に示すように、物体側より順に、正屈折力の第１レンズ群Ｇ１と、負屈折力の第２レンズ群Ｇ２と、負屈折力の第３レンズ群Ｇ３と、正屈折力の第４レンズ群Ｇ４と、負屈折力の第５レンズ群Ｇ５と、からなる。ここで、第５レンズ群Ｇ５が最終レンズ群である。
【０１５２】
第１レンズ群Ｇ１は、物体側に凸面を向けた負メニスカスレンズＬ１と、物体側に凸面を向けた正メニスカスレンズＬ２と、からなる。ここで、負メニスカスレンズＬ１と正メニスカスレンズＬ２とが接合されている。
【０１５３】
第２レンズ群Ｇ２は、物体側に凸面を向けた負メニスカスレンズＬ３と、物体側に凸面を向けた負メニスカスレンズＬ４と、両凸正レンズＬ５と、からなる。
【０１５４】
第３レンズ群Ｇ３は、像側に凸面を向けた負メニスカスレンズＬ６からなる。
【０１５５】
第４レンズ群Ｇ４は、両凸正レンズＬ７と、両凸正レンズＬ８と、像側に凸面を向けた負メニスカスレンズＬ９と、両凹負レンズＬ１０と、両凸正レンズＬ１１と、からなる。ここで、両凸正レンズＬ８と負メニスカスレンズＬ９とが接合されている。また、両凹負レンズＬ１０と両凸正レンズＬ１１とが接合されている。
【０１５６】
第５レンズ群Ｇ５は、像側に凸面を向けた正メニスカスレンズＬ１２と、像側に凸面を向けた負メニスカスレンズＬ１３と、からなる。
【０１５７】
また、開口絞りＳは、両凸正レンズＬ５と正メニスカスレンズＬ１２との間に配置されている。両凸正レンズＬ５は第２レンズ群Ｇ２の最も像側に位置し、正メニスカスレンズＬ１２は第５レンズ群Ｇ５の最も物体側に位置している。より具体的には、開口絞りＳは、負メニスカスレンズＬ６と両凸正レンズＬ７との間に配置されている。
【０１５８】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は狭まる。第４レンズ群Ｇ４と第５レンズ群Ｇ５との間隔は狭まる。
【０１５９】
第１レンズ群Ｇ１、第３レンズ群Ｇ３、第４レンズ群Ｇ４及び第５レンズ群Ｇ５は、いずれも物体側に移動する。第２レンズ群Ｇ２は、像側に移動した後、物体側に移動する。開口絞りＳは、第４レンズ群Ｇ４と共に物体側に移動する。
【０１６０】
また、被写体への合焦は第３レンズ群Ｇ３の移動によって行われる。無限遠物点から近距離物点への合焦時、負メニスカスレンズＬ６は物体側へ移動する。
【０１６１】
非球面は、負メニスカスレンズＬ４の両面と、負メニスカスレンズＬ６の物体側面と、両凸正レンズＬ７の両面と、両凸正レンズＬ１１の像側面と、負メニスカスレンズＬ１３の像側面と、の合計７面に設けられている。
【０１６２】
次に、実施例６に係るズームレンズについて説明する。図１１は、実施例６に係るズームレンズの無限遠物点合焦時の光学構成を示す光軸に沿う断面図である。図１２は実施例６に係るズームレンズの無限遠物点合焦時における収差図である。
【０１６３】
実施例６のズームレンズは、図１１に示すように、物体側より順に、正屈折力の第１レンズ群Ｇ１と、負屈折力の第２レンズ群Ｇ２と、負屈折力の第３レンズ群Ｇ３と、正屈折力の第４レンズ群Ｇ４と、負屈折力の第５レンズ群Ｇ５と、からなる。ここで、第５レンズ群Ｇ５が最終レンズ群である。
【０１６４】
第１レンズ群Ｇ１は、物体側に凸面を向けた負メニスカスレンズＬ１と、物体側に凸面を向けた正メニスカスレンズＬ２と、からなる。ここで、負メニスカスレンズＬ１と正メニスカスレンズＬ２とが接合されている。
【０１６５】
第２レンズ群Ｇ２は、物体側に凸面を向けた負メニスカスレンズＬ３と、両凹負レンズＬ４と、両凸正レンズＬ５と、からなる。ここで、両凹負レンズＬ４と両凸正レンズＬ５とが接合されている。
【０１６６】
第３レンズ群Ｇ３は、像側に凸面を向けた負メニスカスレンズＬ６からなる。
【０１６７】
第４レンズ群Ｇ４は、両凸正レンズＬ７と、像側に凸面を向けた負メニスカスレンズＬ８と、両凸正レンズＬ９と、両凸正レンズＬ１０と、からなる。ここで、負メニスカスレンズＬ８と両凸正レンズＬ９とが接合されている。
【０１６８】
第５レンズ群Ｇ５は、像側に凸面を向けた正メニスカスレンズＬ１１と、両凹負レンズＬ１２と、からなる。
【０１６９】
また、開口絞りＳは、両凸正レンズＬ５と正メニスカスレンズＬ１１との間に配置されている。両凸正レンズＬ５は第２レンズ群Ｇ２の最も像側に位置し、正メニスカスレンズＬ１１は第５レンズ群Ｇ５の最も物体側に位置している。より具体的には、開口絞りＳは、両凸正レンズＬ７と負メニスカスレンズＬ８との間（第４レンズ群Ｇ４中）に配置されている。
【０１７０】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は、広がった後狭まる。第３レンズ群Ｇ３と第４レンズ群Ｇ４との間隔は狭まる。第４レンズ群Ｇ４と第５レンズ群Ｇ５との間隔は狭まる。
【０１７１】
第１レンズ群Ｇ１、第２レンズ群Ｇ２、第３レンズ群Ｇ３、第４レンズ群Ｇ４及び第５レンズ群Ｇ５は、いずれも物体側に移動する。開口絞りＳは、第４レンズ群Ｇ４と共に物体側に移動する。
【０１７２】
また、被写体への合焦は第３レンズ群Ｇ３の移動によって行われる。無限遠物点から近距離物点への合焦時、負メニスカスレンズＬ６は物体側へ移動する。
【０１７３】
非球面は、負メニスカスレンズＬ３の両面と、負メニスカスレンズＬ６の物体側面と、両凸正レンズＬ７の両面と、両凸正レンズＬ１１の像側面と、両凹負レンズＬ１３の像側面と、の合計７面に設けられている。
【０１７４】
次に、実施例７に係るズームレンズについて説明する。図１３は、実施例７に係るズームレンズの無限遠物点合焦時の光学構成を示す光軸に沿う断面図である。図１４は実施例７に係るズームレンズの無限遠物点合焦時における収差図である。
【０１７５】
実施例７のズームレンズは、図１３に示すように、物体側より順に、正屈折力の第１レンズ群Ｇ１と、負屈折力の第２レンズ群Ｇ２と、負屈折力の第３レンズ群Ｇ３と、正屈折力の第４レンズ群Ｇ４と、負屈折力の第５レンズ群Ｇ５と、からなる。ここで、第５レンズ群Ｇ５が最終レンズ群である。
【０１７６】
第１レンズ群Ｇ１は、物体側に凸面を向けた負メニスカスレンズＬ１と、物体側に凸面を向けた正メニスカスレンズＬ２と、からなる。ここで、負メニスカスレンズＬ１と正メニスカスレンズＬ２とが接合されている。
【０１７７】
第２レンズ群Ｇ２は、両凹負レンズＬ３と、両凸正レンズＬ４と、像側に凸面を向けた負メニスカスレンズＬ５と、からなる。
【０１７８】
第３レンズ群Ｇ３は、像側に凸面を向けた負メニスカスレンズＬ６からなる。
【０１７９】
第４レンズ群Ｇ４は、両凸正レンズＬ７と、両凸正レンズＬ８と、両凹負レンズＬ９と、両凹負レンズＬ１０と、両凸正レンズＬ１１と、からなる。ここで、両凸正レンズＬ８と両凹負レンズＬ９とが接合されている。また、両凹負レンズＬ１０と両凸正レンズＬ１１とが接合されている。
【０１８０】
第５レンズ群Ｇ５は、像側に凸面を向けた正メニスカスレンズＬ１２と、像側に凸面を向けた正メニスカスレンズＬ１３と、像側に凸面を向けた負メニスカスレンズＬ１４と、からなる。
【０１８１】
また、開口絞りＳは、負メニスカスレンズＬ５と正メニスカスレンズＬ１２との間に配置されている。負メニスカスレンズＬ５は第２レンズ群Ｇ２の最も像側に位置し、正メニスカスレンズＬ１２は第５レンズ群Ｇ５の最も物体側に位置している。より具体的には、開口絞りＳは、両凸正レンズＬ７と両凸正レンズＬ８との間（第４レンズ群Ｇ４中）に配置されている。
【０１８２】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は狭まる。第４レンズ群Ｇ４と第５レンズ群Ｇ５との間隔は狭まる。
【０１８３】
第１レンズ群Ｇ１、第３レンズ群Ｇ３、第４レンズ群Ｇ４及び第５レンズ群Ｇ５は、いずれも物体側に移動する。第２レンズ群Ｇ２は、像側に移動した後、物体側に移動する。開口絞りＳは、第４レンズ群Ｇ４と共に物体側に移動する。
【０１８４】
また、被写体への合焦は第３レンズ群Ｇ３の移動によって行われる。無限遠物点から近距離物点への合焦時、負メニスカスレンズＬ６は物体側へ移動する。
【０１８５】
非球面は、両凹負レンズＬ３の両面と、負メニスカスレンズＬ６の物体側面と、両凸正レンズＬ７の両面と、両凸正レンズＬ１１の像側面と、負メニスカスレンズＬ１４の像側面と、の合計７面に設けられている。
【０１８６】
次に、実施例８に係るズームレンズについて説明する。図１５は、実施例８に係るズームレンズの無限遠物点合焦時の光学構成を示す光軸に沿う断面図である。図１６は実施例８に係るズームレンズの無限遠物点合焦時における収差図である。
【０１８７】
実施例８のズームレンズは、図１５に示すように、物体側より順に、正屈折力の第１レンズ群Ｇ１と、負屈折力の第２レンズ群Ｇ２と、負屈折力の第３レンズ群Ｇ３と、正屈折力の第４レンズ群Ｇ４と、負屈折力の第５レンズ群Ｇ５と、からなる。ここで、第５レンズ群Ｇ５が最終レンズ群である。
【０１８８】
第１レンズ群Ｇ１は、物体側に凸面を向けた負メニスカスレンズＬ１と、物体側に凸面を向けた正メニスカスレンズＬ２と、からなる。ここで、負メニスカスレンズＬ１と正メニスカスレンズＬ２とが接合されている。
【０１８９】
第２レンズ群Ｇ２は、両凹負レンズＬ３と、両凸正レンズＬ４と、からなる。
【０１９０】
第３レンズ群Ｇ３は、像側に凸面を向けた負メニスカスレンズＬ５からなる。
【０１９１】
第４レンズ群Ｇ４は、両凸正レンズＬ６と、両凸正レンズＬ７と、像側に凸面を向けた負メニスカスレンズＬ８と、両凹負レンズＬ９と、両凸正レンズＬ１０と、からなる。ここで、両凸正レンズＬ７と負メニスカスレンズＬ８とが接合されている。また、両凹負レンズＬ９と両凸正レンズＬ１０とが接合されている。
【０１９２】
第５レンズ群Ｇ５は、像側に凸面を向けた正メニスカスレンズＬ１１と、像側に凸面を向けた負メニスカスレンズＬ１２と、からなる。
【０１９３】
また、開口絞りＳは、両凸正レンズＬ４と正メニスカスレンズＬ１１との間に配置されている。両凸正レンズＬ４は第２レンズ群Ｇ２の最も像側に位置し、正メニスカスレンズＬ１１は第５レンズ群Ｇ５の最も物体側に位置している。より具体的には、開口絞りＳは、負メニスカスレンズＬ５と両凸正レンズＬ６との間に配置されている。
【０１９４】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は、広がった後狭まる。第３レンズ群Ｇ３と第４レンズ群Ｇ４との間隔は狭まる。第４レンズ群Ｇ４と第５レンズ群Ｇ５との間隔は狭まる。
【０１９５】
第１レンズ群Ｇ１、第４レンズ群Ｇ４及び第５レンズ群Ｇ５は、いずれも物体側に移動する。第２レンズ群Ｇ２と第３レンズ群Ｇ３は、像側に移動した後、物体側に移動する。開口絞りＳは、第４レンズ群Ｇ４と共に物体側に移動する。
【０１９６】
また、被写体への合焦は第３レンズ群Ｇ３の移動によって行われる。無限遠物点から近距離物点への合焦時、負メニスカスレンズＬ５は物体側へ移動する。
【０１９７】
非球面は、両凹負レンズＬ３の両面と、両凸正レンズＬ４の両面と、負メニスカスレンズＬ５の物体側面と、両凸正レンズＬ６の両面と、両凸正レンズＬ１０の像側面と、負メニスカスレンズＬ１２の像側面と、の合計９面に設けられている。
【０１９８】
次に、実施例９に係るズームレンズについて説明する。図１７は、実施例９に係るズームレンズの無限遠物点合焦時の光学構成を示す光軸に沿う断面図である。図１８は実施例９に係るズームレンズの無限遠物点合焦時における収差図である。
【０１９９】
実施例９のズームレンズは、図１７に示すように、物体側より順に、正屈折力の第１レンズ群Ｇ１と、負屈折力の第２レンズ群Ｇ２と、負屈折力の第３レンズ群Ｇ３と、正屈折力の第４レンズ群Ｇ４と、負屈折力の第５レンズ群Ｇ５と、からなる。ここで、第５レンズ群Ｇ５が最終レンズ群である。
【０２００】
第１レンズ群Ｇ１は、物体側に凸面を向けた正メニスカスレンズＬ１からなる。
【０２０１】
第２レンズ群Ｇ２は、物体側に凸面を向けた負メニスカスレンズＬ２と、像側に凸面を向けた負メニスカスレンズＬ３と、像側に凸面を向けた正メニスカスレンズＬ４と、からなる。ここで、負メニスカスレンズＬ３と正メニスカスレンズＬ４とが接合されている。
【０２０２】
第３レンズ群Ｇ３は、像側に凸面を向けた負メニスカスレンズＬ５からなる。
【０２０３】
第４レンズ群Ｇ４は、両凸正レンズＬ６と、両凸正レンズＬ７と、両凹負レンズＬ８と、両凹負レンズＬ９と、両凸正レンズＬ１０と、からなる。ここで、両凸正レンズＬ７と両凹負レンズＬ８とが接合されている。また、両凹負レンズＬ９と両凸正レンズＬ１０とが接合されている。
【０２０４】
第５レンズ群Ｇ５は、像側に凸面を向けた正メニスカスレンズＬ１１と、像側に凸面を向けた負メニスカスレンズＬ１２と、からなる。
【０２０５】
また、開口絞りＳは、正メニスカスレンズＬ４と正メニスカスレンズＬ１１との間に配置されている。正メニスカスレンズＬ４は第２レンズ群Ｇ２の最も像側に位置し、正メニスカスレンズＬ１１は第５レンズ群Ｇ５の最も物体側に位置している。より具体的には、開口絞りＳは、負メニスカスレンズＬ５と両凸正レンズＬ６との間に配置されている。
【０２０６】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は狭まる。第４レンズ群Ｇ４と第５レンズ群Ｇ５との間隔は狭まる。
【０２０７】
第１レンズ群Ｇ１、第３レンズ群Ｇ３、第４レンズ群Ｇ４及び第５レンズ群Ｇ５は、いずれも物体側に移動する。第２レンズ群Ｇ２は、像側に移動した後、物体側に移動する。開口絞りＳは、第４レンズ群Ｇ４と共に物体側に移動する。
【０２０８】
また、被写体への合焦は第３レンズ群Ｇ３の移動によって行われる。無限遠物点から近距離物点への合焦時、負メニスカスレンズＬ５は物体側へ移動する。
【０２０９】
非球面は、負メニスカスレンズＬ２の両面と、負メニスカスレンズＬ５の物体側面と、両凸正レンズＬ６の両面と、両凸正レンズＬ１０の像側面と、負メニスカスレンズＬ１２の像側面と、の合計７面に設けられている。
【０２１０】
次に、実施例１０に係るズームレンズについて説明する。図１９は、実施例１０に係るズームレンズの無限遠物点合焦時の光学構成を示す光軸に沿う断面図である。図２０は実施例１０に係るズームレンズの無限遠物点合焦時における収差図である。
【０２１１】
実施例１０のズームレンズは、図１９に示すように、物体側より順に、正屈折力の第１レンズ群Ｇ１と、負屈折力の第２レンズ群Ｇ２と、負屈折力の第３レンズ群Ｇ３と、正屈折力の第４レンズ群Ｇ４と、負屈折力の第５レンズ群Ｇ５と、からなる。ここで、第５レンズ群Ｇ５が最終レンズ群である。
【０２１２】
第１レンズ群Ｇ１は、物体側に凸面を向けた負メニスカスレンズＬ１と、物体側に凸面を向けた正メニスカスレンズＬ２と、からなる。ここで、負メニスカスレンズＬ１と正メニスカスレンズＬ２とが接合されている。
【０２１３】
第２レンズ群Ｇ２は、物体側に凸面を向けた負メニスカスレンズＬ３と、物体側に凸面を向けた負メニスカスレンズＬ４と、両凸正レンズＬ５と、からなる。ここで、負メニスカスレンズＬ４と両凸正レンズＬ５とが接合されている。
【０２１４】
第３レンズ群Ｇ３は、像側に凸面を向けた負メニスカスレンズＬ６からなる。
【０２１５】
第４レンズ群Ｇ４は、両凸正レンズＬ７と、両凸正レンズＬ８と、両凹負レンズＬ９と、両凸正レンズＬ１０と、からなる。ここで、両凸正レンズＬ８と両凹負レンズＬ９とが接合されている。
【０２１６】
第５レンズ群Ｇ５は、像側に凸面を向けた正メニスカスレンズＬ１１と、両凹負レンズＬ１２と、からなる。
【０２１７】
また、開口絞りＳは、両凸正レンズＬ５と正メニスカスレンズＬ１１との間に配置されている。両凸正レンズＬ５は第２レンズ群Ｇ２の最も像側に位置し、正メニスカスレンズＬ１１は第５レンズ群Ｇ５の最も物体側に位置している。より具体的には、開口絞りＳは、負メニスカスレンズＬ６と両凸正レンズＬ７との間に配置されている。
【０２１８】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は狭まる。第４レンズ群Ｇ４と第５レンズ群Ｇ５との間隔は狭まる。
【０２１９】
第１レンズ群Ｇ１、第２レンズ群Ｇ２、第３レンズ群Ｇ３、第４レンズ群Ｇ４及び第５レンズ群Ｇ５は、いずれも物体側に移動する。開口絞りＳは、第４レンズ群Ｇ４と共に物体側に移動する。
【０２２０】
また、被写体への合焦は第３レンズ群Ｇ３の移動によって行われる。無限遠物点から近距離物点への合焦時、負メニスカスレンズＬ６は物体側へ移動する。
【０２２１】
非球面は、負メニスカスレンズＬ３の両面と、負メニスカスレンズＬ６の物体側面と、両凸正レンズＬ７の両面と、両凸正レンズＬ１０の両面と、両凹負レンズＬ１２の像側面と、の合計８面に設けられている。
【０２２２】
次に、実施例１１に係るズームレンズについて説明する。図２１は、実施例１１に係るズームレンズの無限遠物点合焦時の光学構成を示す光軸に沿う断面図である。図２２は実施例１１に係るズームレンズの無限遠物点合焦時における収差図である。
【０２２３】
実施例１１のズームレンズは、図２１に示すように、物体側より順に、正屈折力の第１レンズ群Ｇ１と、負屈折力の第２レンズ群Ｇ２と、負屈折力の第３レンズ群Ｇ３と、正屈折力の第４レンズ群Ｇ４と、負屈折力の第５レンズ群Ｇ５と、からなる。ここで、第５レンズ群Ｇ５が最終レンズ群である。
【０２２４】
第１レンズ群Ｇ１は、物体側に凸面を向けた負メニスカスレンズＬ１と、物体側に凸面を向けた正メニスカスレンズＬ２と、からなる。ここで、負メニスカスレンズＬ１と正メニスカスレンズＬ２とが接合されている。
【０２２５】
第２レンズ群Ｇ２は、物体側に凸面を向けた負メニスカスレンズＬ３と、物体側に凸面を向けた負メニスカスレンズＬ４と、両凸正レンズＬ５と、からなる。ここで、負メニスカスレンズＬ４と両凸正レンズＬ５とが接合されている。
【０２２６】
第３レンズ群Ｇ３は、像側に凸面を向けた負メニスカスレンズＬ６からなる。
【０２２７】
第４レンズ群Ｇ４は、両凸正レンズＬ７と、両凸正レンズＬ８と、像側に凸面を向けた負メニスカスレンズＬ９と、両凹負レンズＬ１０と、両凸正レンズＬ１１と、からなる。ここで、両凸正レンズＬ８と負メニスカスレンズＬ９とが接合されている。また、両凹負レンズＬ１０と両凸正レンズＬ１１とが接合されている。
【０２２８】
第５レンズ群Ｇ５は、像側に凸面を向けた正メニスカスレンズＬ１２と、像側に凸面を向けた負メニスカスレンズＬ１３と、からなる。
【０２２９】
また、開口絞りＳは、両凸正レンズＬ５と正メニスカスレンズＬ１２との間に配置されている。両凸正レンズＬ５は第２レンズ群Ｇ２の最も像側に位置し、正メニスカスレンズＬ１２は第５レンズ群Ｇ５の最も物体側に位置している。より具体的には、開口絞りＳは、負メニスカスレンズＬ６と両凸正レンズＬ７との間に配置されている。
【０２３０】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は狭まる。第４レンズ群Ｇ４と第５レンズ群Ｇ５との間隔は狭まる。
【０２３１】
第１レンズ群Ｇ１、第３レンズ群Ｇ３、第４レンズ群Ｇ４及び第５レンズ群Ｇ５は、いずれも物体側に移動する。第２レンズ群Ｇ２は、像側に移動した後、物体側に移動する。開口絞りＳは、第４レンズ群Ｇ４と共に物体側に移動する。
【０２３２】
また、被写体への合焦は第３レンズ群Ｇ３の移動によって行われる。無限遠物点から近距離物点への合焦時、負メニスカスレンズＬ６は物体側へ移動する。
【０２３３】
非球面は、負メニスカスレンズＬ３の両面と、負メニスカスレンズＬ６の物体側面と、両凸正レンズＬ７の両面と、両凸正レンズＬ１１の像側面と、負メニスカスレンズＬ１３の像側面と、の合計７面に設けられている。
【０２３４】
次に、実施例１２に係るズームレンズについて説明する。図２３は、実施例１２に係るズームレンズの無限遠物点合焦時の光学構成を示す光軸に沿う断面図である。図２４は実施例１２に係るズームレンズの無限遠物点合焦時における収差図である。
【０２３５】
実施例１２のズームレンズは、図２３に示すように、物体側より順に、正屈折力の第１レンズ群Ｇ１と、負屈折力の第２レンズ群Ｇ２と、正屈折力の第３レンズ群Ｇ３と、負屈折力の第４レンズ群Ｇ４と、からなる。ここで、第４レンズ群Ｇ４が最終レンズ群である。
【０２３６】
第１レンズ群Ｇ１は、物体側に凸面を向けた負メニスカスレンズＬ１と、物体側に凸面を向けた正メニスカスレンズＬ２と、からなる。ここで、負メニスカスレンズＬ１と正メニスカスレンズＬ２とが接合されている。
【０２３７】
第２レンズ群Ｇ２は、両凹負レンズＬ３と、物体側に凸面を向けた正メニスカスレンズＬ４と、からなる。
【０２３８】
第３レンズ群Ｇ３は、物体側に凸面を向けた正メニスカスレンズＬ５と、物体側に凸面を向けた負メニスカスレンズＬ６と、両凸正レンズＬ７と、からなる。ここで、負メニスカスレンズＬ６と両凸正レンズＬ７とが接合されている。
【０２３９】
第４レンズ群Ｇ４は、像側に凸面を向けた正メニスカスレンズＬ８と、両凹負レンズＬ９と、からなる。
【０２４０】
また、開口絞りＳは、正メニスカスレンズＬ４と正メニスカスレンズＬ８との間に配置されている。正メニスカスレンズＬ４は第２レンズ群Ｇ２の最も像側に位置し、正メニスカスレンズＬ８は第４レンズ群Ｇ４の最も物体側に位置している。より具体的には、開口絞りＳは、正メニスカスレンズＬ５と負メニスカスレンズＬ６との間に配置されている。
【０２４１】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は、狭まった後広がる。
【０２４２】
第１レンズ群Ｇ１、第２レンズ群Ｇ２、第３レンズ群Ｇ３及び第４レンズ群Ｇ４は、いずれも物体側に移動する。開口絞りＳは、第３レンズ群Ｇ３と共に物体側に移動する。
【０２４３】
また、被写体への合焦は第２レンズ群Ｇ２の移動によって行われる。無限遠物点から近距離物点への合焦時、両凹負レンズＬ３と、物体側に凸面を向けた正メニスカスレンズＬ４は物体側へ移動する。
【０２４４】
非球面は、正メニスカスレンズＬ５の両面と、正メニスカスレンズＬ８の両面と、両凹負レンズＬ９の両面と、の合計６面に設けられている。
【０２４５】
次に、実施例１３に係るズームレンズについて説明する。図２５は、実施例１３に係るズームレンズの無限遠物点合焦時の光学構成を示す光軸に沿う断面図である。図２６は実施例１３に係るズームレンズの無限遠物点合焦時における収差図である。
【０２４６】
実施例１３のズームレンズは、図２５に示すように、物体側より順に、正屈折力の第１レンズ群Ｇ１と、負屈折力の第２レンズ群Ｇ２と、負屈折力の第３レンズ群Ｇ３と、正屈折力の第４レンズ群Ｇ４と、負屈折力の第５レンズ群Ｇ５と、からなる。ここで、第５レンズ群Ｇ５が最終レンズ群である。
【０２４７】
第１レンズ群Ｇ１は、物体側に凸面を向けた負メニスカスレンズＬ１と、両凸正レンズＬ２と、からなる。ここで、負メニスカスレンズＬ１と両凸正レンズＬ２とが接合されている。
【０２４８】
第２レンズ群Ｇ２は、両凹負レンズＬ３と、物体側に凸面を向けた負メニスカスレンズＬ４と、両凸正レンズＬ５と、からなる。
【０２４９】
第３レンズ群Ｇ３は、両凹負レンズＬ６からなる。
【０２５０】
第４レンズ群Ｇ４は、両凸正レンズＬ７と、両凸正レンズＬ８と、両凹負レンズＬ９と、両凸正レンズＬ１０と、像側に凸面を向けた負メニスカスレンズＬ１１と、からなる。ここで、両凸正レンズＬ８と負メニスカスレンズＬ９とが接合されている。また、両凹負レンズＬ１０と両凸正レンズＬ１１とが接合されている。
【０２５１】
第５レンズ群Ｇ５は、像側に凸面を向けた負メニスカスレンズＬ１２からなる。
【０２５２】
また、開口絞りＳは、両凸正レンズＬ５と負メニスカスレンズＬ１２との間に配置されている。両凸正レンズＬ５は第２レンズ群Ｇ２の最も像側に位置し、負メニスカスレンズＬ１２は第５レンズ群Ｇ５の最も物体側に位置している。より具体的には、開口絞りＳは、両凹負レンズＬ９と両凸正レンズＬ１０との間（第４レンズ群Ｇ４中）に配置されている。
【０２５３】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は広がる。第３レンズ群Ｇ３と第４レンズ群Ｇ４との間隔は狭まる。第４レンズ群Ｇ４と第５レンズ群Ｇ５との間隔は狭まる。
【０２５４】
第１レンズ群Ｇ１、第２レンズ群Ｇ２、第３レンズ群Ｇ３、第４レンズ群Ｇ４及び第５レンズ群Ｇ５は、いずれも物体側に移動する。開口絞りＳは、第４レンズ群Ｇ４と共に物体側に移動する。
【０２５５】
また、被写体への合焦は第３レンズ群Ｇ３の移動によって行われる。無限遠物点から近距離物点への合焦時、負メニスカスレンズＬ６は物体側へ移動する。
【０２５６】
非球面は、負メニスカスレンズＬ４の両面と、負メニスカスレンズＬ６の物体側面と、両凸正レンズＬ１０の物体側面と、の合計４面に設けられている。
【０２５７】
次に、実施例１４に係るズームレンズについて説明する。図２７は、実施例１４に係るズームレンズの無限遠物点合焦時の光学構成を示す光軸に沿う断面図である。図２８は実施例１４に係るズームレンズの無限遠物点合焦時における収差図である。
【０２５８】
実施例１４のズームレンズは、図２７に示すように、物体側より順に、正屈折力の第１レンズ群Ｇ１と、負屈折力の第２レンズ群Ｇ２と、負屈折力の第３レンズ群Ｇ３と、正屈折力の第４レンズ群Ｇ４と、負屈折力の第５レンズ群Ｇ５と、からなる。ここで、第５レンズ群Ｇ５が最終レンズ群である。
【０２５９】
第１レンズ群Ｇ１は、物体側に凸面を向けた負メニスカスレンズＬ１と、物体側に凸面を向けた正メニスカスレンズＬ２と、からなる。ここで、負メニスカスレンズＬ１と正メニスカスレンズＬ２とが接合されている。
【０２６０】
第２レンズ群Ｇ２は、物体側に凸面を向けた負メニスカスレンズＬ３と、両凹負レンズＬ４と、両凸正レンズＬ５と、からなる。ここで、両凹負レンズＬ４と両凸正レンズＬ５とが接合されている。
【０２６１】
第３レンズ群Ｇ３は、像側に凸面を向けた負メニスカスレンズＬ６と、両凸正レンズＬ７と、からなる。
【０２６２】
第４レンズ群Ｇ４は、両凸正レンズＬ８と、両凸正レンズＬ９と、両凹負レンズＬ１０と、両凹負レンズＬ１１と、両凸正レンズＬ１２と、からなる。ここで、両凸正レンズＬ９と両凹負レンズＬ１０とが接合されている。また、両凹負レンズＬ１１と両凸正レンズＬ１２とが接合されている。
【０２６３】
第５レンズ群Ｇ５は、像側に凸面を向けた正メニスカスレンズＬ１３と、両凹負レンズＬ１４と、からなる。
【０２６４】
また、開口絞りＳは、両凸正レンズＬ５と正メニスカスレンズＬ１３との間に配置されている。両凸正レンズＬ５は第２レンズ群Ｇ２の最も像側に位置し、正メニスカスレンズＬ１３は第５レンズ群Ｇ５の最も物体側に位置している。より具体的には、開口絞りＳは、両凸正レンズＬ７と両凸正レンズＬ８との間に配置されている。
【０２６５】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は狭まる。第４レンズ群Ｇ４と第５レンズ群Ｇ５との間隔は狭まる。
【０２６６】
第１レンズ群Ｇ１、第３レンズ群Ｇ３、第４レンズ群Ｇ４及び第５レンズ群Ｇ５は、いずれも物体側に移動する。第２レンズ群Ｇ２は、像側に移動した後、物体側に移動する。開口絞りＳは、第４レンズ群Ｇ４と共に物体側に移動する。
【０２６７】
また、被写体への合焦は第３レンズ群Ｇ３の移動によって行われる。無限遠物点から近距離物点への合焦時、負メニスカスレンズＬ６と両凸正レンズＬ７とが物体側へ移動する。
【０２６８】
非球面は、負メニスカスレンズＬ３の両面と、負メニスカスレンズＬ６の物体側面と、両凸正レンズＬ８の両面と、両凸正レンズＬ１２の像側面と、両凹負レンズＬ１４の両面と、の合計８面に設けられている。
【０２６９】
次に、実施例１５に係るズームレンズについて説明する。図２９は、実施例１５に係るズームレンズの無限遠物点合焦時の光学構成を示す光軸に沿う断面図である。図３０は実施例１５に係るズームレンズの無限遠物点合焦時における収差図である。
【０２７０】
実施例１５のズームレンズは、図２９に示すように、物体側より順に、正屈折力の第１レンズ群Ｇ１と、負屈折力の第２レンズ群Ｇ２と、負屈折力の第３レンズ群Ｇ３と、正屈折力の第４レンズ群Ｇ４と、負屈折力の第５レンズ群Ｇ５と、からなる。ここで、第５レンズ群Ｇ５が最終レンズ群である。
【０２７１】
第１レンズ群Ｇ１は、物体側に凸面を向けた負メニスカスレンズＬ１と、物体側に凸面を向けた正メニスカスレンズＬ２と、からなる。ここで、負メニスカスレンズＬ１と正メニスカスレンズＬ２とが接合されている。
【０２７２】
第２レンズ群Ｇ２は、物体側に凸面を向けた負メニスカスレンズＬ３と、物体側に凸面を向けた負メニスカスレンズＬ４と、物体側に凸面を向けた正メニスカスレンズＬ５と、からなる。ここで、負メニスカスレンズＬ４と正メニスカスレンズＬ５とが接合されている。
【０２７３】
第３レンズ群Ｇ３は、像側に凸面を向けた正メニスカスレンズＬ６と、像側に凸面を向けた負メニスカスレンズＬ７と、からなる。
【０２７４】
第４レンズ群Ｇ４は、両凸正レンズＬ８と、両凸正レンズＬ９と、両凹負レンズＬ１０と、両凸正レンズＬ１１と、からなる。ここで、両凸正レンズＬ９と両凹負レンズＬ１０とが接合されている。
【０２７５】
第５レンズ群Ｇ５は、像側に凸面を向けた正メニスカスレンズＬ１２と、像側に凸面を向けた負メニスカスレンズＬ１３と、からなる。
【０２７６】
また、開口絞りＳは、正メニスカスレンズＬ５と正メニスカスレンズＬ１２との間に配置されている。正メニスカスレンズＬ５は第２レンズ群Ｇ２の最も像側に位置し、正メニスカスレンズＬ１２は第５レンズ群Ｇ５の最も物体側に位置している。より具体的には、開口絞りＳは、負メニスカスレンズＬ７と両凸正レンズＬ８との間に配置されている。
【０２７７】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は狭まる。第４レンズ群Ｇ４と第５レンズ群Ｇ５との間隔は狭まる。
【０２７８】
第１レンズ群Ｇ１、第２レンズ群Ｇ２、第３レンズ群Ｇ３、第４レンズ群Ｇ４及び第５レンズ群Ｇ５は、いずれも物体側に移動する。開口絞りＳは、第４レンズ群Ｇ４と共に物体側に移動する。
【０２７９】
また、被写体への合焦は第３レンズ群Ｇ３の移動によって行われる。無限遠物点から近距離物点への合焦時、正メニスカスレンズＬ６と負メニスカスレンズＬ７とが物体側へ移動する。
【０２８０】
非球面は、負メニスカスレンズＬ３の両面と、負メニスカスレンズＬ７の物体側面と、両凸正レンズＬ８の両面と、両凸正レンズＬ１１の両面と、負メニスカスレンズＬ１３の像側面と、の合計８面に設けられている。
【０２８１】
次に、実施例１６に係るズームレンズについて説明する。図３１は、実施例１６に係るズームレンズの無限遠物点合焦時の光学構成を示す光軸に沿う断面図である。図３２は実施例１６に係るズームレンズの無限遠物点合焦時における収差図である。
【０２８２】
実施例１６のズームレンズは、図３１に示すように、物体側より順に、正屈折力の第１レンズ群Ｇ１と、負屈折力の第２レンズ群Ｇ２と、負屈折力の第３レンズ群Ｇ３と、正屈折力の第４レンズ群Ｇ４と、負屈折力の第５レンズ群Ｇ５と、からなる。ここで、第５レンズ群Ｇ５が最終レンズ群である。
【０２８３】
第１レンズ群Ｇ１は、物体側に凸面を向けた負メニスカスレンズＬ１と、物体側に凸面を向けた正メニスカスレンズＬ２と、からなる。ここで、負メニスカスレンズＬ１と正メニスカスレンズＬ２とが接合されている。
【０２８４】
第２レンズ群Ｇ２は、物体側に凸面を向けた負メニスカスレンズＬ３と、両凹負レンズＬ４と、両凸正レンズＬ５と、からなる。ここで、両凹負レンズＬ４と両凸正レンズＬ５とが接合されている。
【０２８５】
第３レンズ群Ｇ３は、像側に凸面を向けた負メニスカスレンズＬ６からなる。
【０２８６】
第４レンズ群Ｇ４は、両凸正レンズＬ７と、両凸正レンズＬ８と、両凹負レンズＬ９と、両凹負レンズＬ１０と、両凸正レンズＬ１１と、からなる。ここで、両凸正レンズＬ８と両凹負レンズＬ９とが接合されている。また、両凹負レンズＬ１０と両凸正レンズＬ１１とが接合されている。
【０２８７】
第５レンズ群Ｇ５は、像側に凸面を向けた正メニスカスレンズＬ１２と、像側に凸面を向けた負メニスカスレンズＬ１３と、からなる。
【０２８８】
また、開口絞りＳは、両凸正レンズＬ５と正メニスカスレンズＬ１２との間に配置されている。両凸正レンズＬ５は第２レンズ群Ｇ２の最も像側に位置し、正メニスカスレンズＬ１２は第５レンズ群Ｇ５の最も物体側に位置している。より具体的には、開口絞りＳは、負メニスカスレンズＬ６と両凸正レンズＬ７との間に配置されている。
【０２８９】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は狭まる。第４レンズ群Ｇ４と第５レンズ群Ｇ５との間隔は狭まる。
【０２９０】
第１レンズ群Ｇ１、第３レンズ群Ｇ３、第４レンズ群Ｇ４及び第５レンズ群Ｇ５は、いずれも物体側に移動する。第２レンズ群Ｇ２は、像側に移動した後、物体側に移動する。開口絞りＳは、第４レンズ群Ｇ４と共に物体側に移動する。
【０２９１】
また、被写体への合焦は第３レンズ群Ｇ３の移動によって行われる。無限遠物点から近距離物点への合焦時、負メニスカスレンズＬ６は物体側へ移動する。
【０２９２】
非球面は、負メニスカスレンズＬ３の両面と、負メニスカスレンズＬ６の物体側面と、両凸正レンズＬ７の両面と、両凸正レンズＬ１１の像側面と、負メニスカスレンズＬ１３の両面と、の合計８面に設けられている。
【０２９３】
次に、実施例１７に係るズームレンズについて説明する。図３３は、実施例１７に係るズームレンズの無限遠物点合焦時の光学構成を示す光軸に沿う断面図である。図３４は実施例１７に係るズームレンズの無限遠物点合焦時における収差図である。
【０２９４】
実施例１７のズームレンズは、図３３に示すように、物体側より順に、正屈折力の第１レンズ群Ｇ１と、負屈折力の第２レンズ群Ｇ２と、負屈折力の第３レンズ群Ｇ３と、正屈折力の第４レンズ群Ｇ４と、負屈折力の第５レンズ群Ｇ５と、からなる。ここで、第５レンズ群Ｇ５が最終レンズ群である。
【０２９５】
第１レンズ群Ｇ１は、物体側に凸面を向けた負メニスカスレンズＬ１と、物体側に凸面を向けた正メニスカスレンズＬ２と、からなる。ここで、負メニスカスレンズＬ１と正メニスカスレンズＬ２とが接合されている。
【０２９６】
第２レンズ群Ｇ２は、両凹負レンズＬ３と、物体側に凸面を向けた正メニスカスレンズＬ４と、からなる。
【０２９７】
第３レンズ群Ｇ３は、像側に凸面を向けた負メニスカスレンズＬ５と、像側に凸面を向けた正メニスカスレンズＬ６と、からなる。ここで、負メニスカスレンズＬ５と正メニスカスレンズＬ６とが接合されている。
【０２９８】
第４レンズ群Ｇ４は、両凸正レンズＬ７と、両凸正レンズＬ８と、両凹負レンズＬ９と、両凸正レンズＬ１０と、からなる。ここで、両凸正レンズＬ８と両凹負レンズＬ９とが接合されている。
【０２９９】
第５レンズ群Ｇ５は、像側に凸面を向けた正メニスカスレンズＬ１１と、両凹負レンズＬ１２と、からなる。
【０３００】
また、開口絞りＳは、正メニスカスレンズＬ４と正メニスカスレンズＬ１１との間に配置されている。正メニスカスレンズＬ４は第２レンズ群Ｇ２の最も像側に位置し、正メニスカスレンズＬ１１は第５レンズ群Ｇ５の最も物体側に位置している。より具体的には、開口絞りＳは、正メニスカスレンズＬ６と両凸正レンズＬ７との間に配置されている。
【０３０１】
広角端から望遠端への変倍時、各レンズ群の間隔が変化する。第１レンズ群Ｇ１と第２レンズ群Ｇ２との間隔は広がる。第２レンズ群Ｇ２と第３レンズ群Ｇ３との間隔は、広がった後狭まる。第３レンズ群Ｇ３と第４レンズ群Ｇ４との間隔は狭まる。第４レンズ群Ｇ４と第５レンズ群Ｇ５との間隔は狭まる。
【０３０２】
第１レンズ群Ｇ１、第４レンズ群Ｇ４及び第５レンズ群Ｇ５は、いずれも物体側に移動する。第２レンズ群Ｇ２と第３レンズ群Ｇ３は、像側に移動した後、物体側に移動する。開口絞りＳは、第４レンズ群Ｇ４と共に物体側に移動する。
【０３０３】
また、被写体への合焦は第３レンズ群Ｇ３の移動によって行われる。無限遠物点から近距離物点への合焦時、負メニスカスレンズＬ５と正メニスカスレンズＬ６とが物体側へ移動する。
【０３０４】
非球面は、両凹負レンズＬ３の両面と、負メニスカスレンズＬ５の物体側面と、両凸正レンズＬ７の両面と、両凸正レンズＬ１０の両面と、両凹負レンズＬ１２の像側面と、の合計８面に設けられている。
【０３０５】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッベ数、＊印は非球面である。また、ズームデータにおいて、中間は中間焦点距離状態、焦点距離はズームレンズ全系の焦点距離、ＦＮＯ．はＦナンバー、ωは半画角、ＦＢはバックフォーカス、ｆ１、ｆ２…は各レンズ群の焦点距離である。なお、全長は、レンズ最前面からレンズ最終面までの距離にバックフォーカスを加えたものである。バックフォーカスは、レンズ最終面から近軸像面までの距離を空気換算して表したものである。また、数値データは無限遠物点合焦時のデータある。
【０３０６】
また、非球面形状は、光軸方向をｚ、光軸に直交する方向をｙにとり、円錐係数をｋ、非球面係数をＡ４、Ａ６、Ａ８、Ａ１０としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10
また、非球面係数において、「ｅ−ｎ」（ｎは整数）は、「１０−ｎ」を示している。なお、これら諸元値の記号は後述の実施例の数値データにおいても共通である。
【０３０７】
数値実施例１
単位ｍｍ
面データ
面番号       r           d        nd        νd
物面        ∞           ∞
1         43.936       1.20     1.92286    20.88
2         28.039       6.83     1.72916    54.68
3        416.387       可変
4*       103.154       0.70     1.85135    40.10
5*        12.147       5.28
6       -372.319       0.70     1.85135    40.10
7         18.297       3.32     1.94595    17.98
8       -135.983       可変
9*       -17.049       0.70     1.85135    40.10
10        -36.725       可変
11（絞り）  ∞          1.20
12*        18.374       6.96     1.74320    49.34
13*       -40.462       1.04
14         39.991       5.58     1.58313    59.38
15        -16.954       0.70     1.92286    20.88
16         59.097       0.50
17*        35.190       6.43     1.53071    55.69
18*       -15.490       可変
19        -43.491       3.26     1.92286    20.88
20        -21.422       0.50
21*       -56.071       1.70     1.53071    55.69
22         34.520       5.37
23        -11.837       0.80     1.85135    40.10
24*       -22.533       可変
25          ∞          4.00     1.51633    64.14
26          ∞          1.00
像面（撮像面）∞
非球面データ
第４面
k=0.000
A4=5.61830e-06,A6=-2.06924e-09,A8=-8.96929e-11
第５面
k=0.000
A4=-1.49512e-06,A6=1.06534e-07
第９面
k=0.000
A4=1.52780e-05,A6=-1.89724e-08
第１２面
k=0.000
A4=-1.91727e-05,A6=3.66676e-08,A8=-4.14216e-11
第１３面
k=0.000
A4=2.03841e-05,A6=-1.51783e-08
第１７第面
k=0.000
A4=-5.43835e-05,A6=8.83477e-08
第１８面
k=0.000
A4=1.35730e-04,A6=-1.15736e-07,A8=3.12077e-09
第２１面
k=0.000
A4=5.41223e-05,A6=7.46065e-08
第２４面
k=0.000
A4=-1.75556e-05,A6=1.53689e-07
ズームデータ
ズーム比       2.88
広角端    中間      望遠端
焦点距離       12.40     21.04     35.71
ＦＮＯ．        1.80      2.20      2.42
画角２ω       91.78     54.64     33.69
像高           11.00     11.00     11.00
ＦＢ (in air)   4.14     10.03     20.99
全長 (in air)  72.76     82.08     91.64
d3           0.50      9.28     13.03
d8           3.68      3.93      3.50
d10           8.89      4.25      0.85
d18           2.78      1.83      0.50
d24           0.50      6.39     17.35
各群焦点距離
f1=79.64    f2=-21.00    f3=-38.00     f4=15.44    f5=-28.29
【０３０８】
数値実施例２
単位ｍｍ
面データ
面番号       r           d        nd        νd
物面        ∞           ∞
1         40.461       1.20     1.92286    20.88
2         34.871       5.50     1.72916    54.68
3        212.024       可変
4*       125.211       0.70     1.85135    40.10
5*        12.980       6.48
6        -87.240       0.70     1.83481    42.71
7         45.311       2.54     1.94595    17.98
8        -68.155       可変
9*       -16.000       0.70     1.85135    40.10
10        -33.170       可変
11（絞り）  ∞          1.20
12*        20.025       6.73     1.74320    49.34
13*       -29.647       0.50
14         34.325       5.64     1.51633    64.14
15        -16.450       0.70     1.84666    23.78
16        109.609       4.79
17         71.118       0.70     1.85135    40.10
18         22.294       5.06     1.58313    59.38
19*       -18.928       可変
20        -24.408       2.35     1.94595    17.98
21        -17.482       3.31
22        -16.000       0.80     1.85135    40.10
23*       -70.838       可変
24          ∞          4.00     1.51633    64.14
25          ∞          1.00
像面（撮像面）∞
非球面データ
第４面
k=0.000
A4=1.02369e-05,A6=-2.18429e-08,A8=3.90403e-12
第５面
k=0.000
A4=3.19622e-08,A6=6.95961e-08
第９面
k=0.000
A4=1.79252e-05,A6=5.52627e-08
第１２面
k=0.000
A4=-1.51621e-05,A6=4.21766e-08,A8=-4.85331e-11
第１３面
k=0.000
A4=3.24750e-05,A6=-3.63363e-08
第１９面
k=0.000
A4=7.92854e-05,A6=8.94951e-08,A8=2.01290e-09
第２３面
k=0.000
A4=-2.79752e-05,A6=2.03247e-09
ズームデータ
ズーム比       2.88
広角端    中間      望遠端
焦点距離       12.40     21.04     35.71
ＦＮＯ．        1.80      2.20      2.42
画角２ω       90.66     55.48     33.82
像高           11.00     11.00     11.00
ＦＢ (in air)   4.14     11.16     23.07
全長 (in air)  75.09     81.70     91.64
d3           0.50      7.82     12.47
d8           5.85      4.34      3.50
d10           8.85      4.39      0.85
d19           6.16      4.39      2.15
d23           0.50      7.52     19.43
各群焦点距離
f1=70.76    f2=-21.00    f3=-37.00     f4=17.22    f5=-44.22
【０３０９】
数値実施例３
単位ｍｍ
面データ
面番号       r           d        nd        νd
物面        ∞           ∞
1         41.450       1.20     1.92286    20.88
2         29.642       7.00     1.72916    54.68
3        354.834       可変
4*      -765.284       0.70     1.85135    40.10
5*        12.891       5.87
6       -175.111       0.70     1.83481    42.71
7         31.739       2.97     1.94595    17.98
8        -68.081       可変
9*       -16.000       0.70     1.85135    40.10
10        -33.170       可変
11*        20.906       7.00     1.74320    49.34
12*       -31.117       1.00
13（絞り）  ∞          1.00
14         21.835       6.37     1.58313    59.38
15        -17.045       0.70     1.92286    20.88
16        105.958       2.00
17        228.680       0.70     1.85135    40.10
18         18.365       7.00     1.58313    59.38
19*       -17.817       可変
20        -23.878       2.17     1.94595    17.98
21        -17.364       1.38
22        -44.133       1.80     1.63493    23.89
23        -20.479       1.45
24        -14.131       0.80     1.85135    40.10
25*      -444.327       可変
26          ∞          4.00     1.51633    64.14
27          ∞          1.00
像面（撮像面）∞
非球面データ
第４面
k=0.000
A4=1.43727e-05,A6=-2.40711e-08,A8=-3.26811e-12
第５面
k=0.000
A4=-5.05278e-06,A6=5.19509e-08
第９面
k=0.000
A4=1.50774e-05,A6=8.87157e-08
第１１面
k=0.000
A4=-1.13991e-05,A6=1.73714e-08,A8=-5.50513e-11
第１２面
k=0.000
A4=2.89195e-05,A6=-3.42677e-08
第１９面
k=0.000
A4=1.25540e-04,A6=6.48662e-08,A8=8.52262e-10
第２５面
k=0.000
A4=-6.78469e-05,A6=1.24765e-07
ズームデータ
ズーム比       2.88
広角端    中間      望遠端
焦点距離       12.40     21.04     35.71
ＦＮＯ．        1.80      2.20      2.42
画角２ω       91.78     55.08     33.61
像高           11.00     11.00     11.00
ＦＢ (in air)   4.14     10.43     20.64
全長 (in air)  74.99     81.93     91.64
d3           0.50      7.92     12.94
d8           4.98      4.02      3.50
d10           9.00      4.42      0.85
d19           3.85      2.62      1.18
d25           0.50      6.79     17.00
各群焦点距離
f1=71.81    f2=-21.00    f3=-37.00     f4=16.50    f5=-44.84
【０３１０】
数値実施例４
単位ｍｍ
面データ
面番号       r           d        nd        νd
物面        ∞           ∞
1         44.021       1.20     1.92286    20.88
2         28.240       6.82     1.72916    54.68
3        420.457       可変
4*       105.858       0.70     1.85135    40.10
5*        12.174       5.17
6       -229.834       0.70     1.85135    40.10
7         19.226       3.21     1.94595    17.98
8       -110.413       可変
9*       -16.000       0.70     1.85135    40.10
10        -32.294       可変
11（絞り）  ∞          1.20
12*        18.179       6.70     1.74320    49.34
13*       -28.413       3.20
14         57.975       0.70     1.92286    20.88
15         11.506       3.90     1.58313    59.38
16         22.947       0.68
17*        19.599       7.00     1.53071    55.69
18*       -16.419       可変
19        -54.476       2.24     1.92286    20.88
20        -27.007       0.50
21*       -54.849       2.00     1.53071    55.69
22        106.919       4.81
23        -12.578       0.80     1.85135    40.10
24*       -31.258       可変
25          ∞          4.00     1.51633    64.14
26          ∞          1.00
像面（撮像面）∞
非球面データ
第４面
k=0.000
A4=2.65935e-06,A6=2.58636e-08,A8=-1.43797e-10
第５面
k=0.000
A4=-7.67951e-06,A6=6.98003e-08
第９面
k=0.000
A4=1.61068e-05,A6=3.21198e-09
第１２面
k=0.000
A4=-3.61258e-05,A6=9.64754e-08,A8=-3.60710e-10
第１３面
k=0.000
A4=5.10546e-05,A6=-4.63312e-08
第１７面
k=0.000
A4=-5.18700e-07,A6=3.60189e-08,A8=9.28612e-11
第１８面
k=0.000
A4=8.85449e-05,A6=1.14899e-07,A8=2.05052e-10
第２１面
k=0.000
A4=7.76872e-05,A6=3.15103e-07
第２４面
k=0.000
A4=3.17750e-06,A6=1.87972e-07
ズームデータ
ズーム比       2.88
広角端    中間      望遠端
焦点距離       12.40     21.04     35.71
ＦＮＯ．        1.80      2.20      2.42
画角２ω       91.78     54.52     33.61
像高           11.00     11.00     11.00
ＦＢ (in air)   4.14     10.10     21.08
全長 (in air)  72.30     81.90     91.64
d3           0.50      9.37     13.48
d8           3.50      4.04      3.50
d10           8.78      4.08      0.85
d18           3.16      2.09      0.50
d24           0.50      6.46     17.45
各群焦点距離
f1=79.49    f2=-21.00    f3=-38.00     f4=16.28    f5=-27.83
【０３１１】
数値実施例５
単位ｍｍ
面データ
面番号       r           d        nd        νd
物面        ∞           ∞
1         48.222       1.20     1.92286    20.88
2         38.174       5.51     1.72916    54.68
3        497.836       可変
4        328.273       0.70     1.80610    40.92
5         14.018       5.32
6*        77.529       0.70     1.85135    40.10
7*        22.181       0.90
8         29.124       2.84     1.94595    17.98
9       -656.103       可変
10*       -16.079       0.70     1.85135    40.10
11        -33.500       可変
12（絞り）  ∞          1.20
13*        20.113       7.00     1.74320    49.34
14*       -32.515       1.75
15         24.856       6.15     1.59201    67.02
16        -17.819       0.70     1.92286    20.88
17       -188.178       2.95
18        -70.650       0.70     1.85135    40.10
19         14.828       6.24     1.58313    59.38
20*       -17.279       可変
21        -35.139       2.94     1.94595    17.98
22        -17.515       1.99
23        -13.833       0.80     1.85135    40.10
24*       -67.837       可変
25          ∞          4.00     1.51633    64.14
26          ∞          1.00
像面（撮像面）∞
非球面データ
第６面
k=0.000
A4=-2.81467e-05,A6=3.09834e-07,A8=-9.63665e-10
第７面
k=0.000
A4=-4.86669e-05,A6=3.31061e-07,A8=-1.34659e-09
第１０面
k=0.000
A4=1.15730e-05,A6=2.74006e-08
第１３面
k=0.000
A4=-1.70391e-05,A6=3.30338e-08,A8=-7.73732e-11
第１４面
k=0.000
A4=2.69949e-05,A6=-2.00715e-08
第２０面
k=0.000
A4=9.98703e-05,A6=2.72487e-08,A8=2.46088e-09
第２４面
k=0.000
A4=-5.15230e-05,A6=6.99408e-08
ズームデータ
ズーム比       2.88
広角端    中間      望遠端
焦点距離       12.40     21.00     35.71
ＦＮＯ．        1.80      2.20      2.42
画角２ω       91.78     54.92     33.61
像高           11.00     11.00     11.00
ＦＢ (in air)   4.14     10.14     21.32
全長 (in air)  76.64     82.82     91.64
d3           0.50      9.21     13.74
d9           7.82      4.71      3.50
d11           8.82      4.70      0.85
d20           5.06      3.77      1.93
d24           0.50      6.50     17.68
各群焦点距離
f1=78.48    f2=-22.85    f3=-37.00     f4=16.60    f5=-53.55
【０３１２】
数値実施例６
単位ｍｍ
面データ
面番号       r           d        nd        νd
物面        ∞           ∞
1         37.936       1.20     1.92286    20.88
2         26.744       6.97     1.72916    54.68
3        246.381       可変
4*      2438.306       0.70     1.85135    40.10
5*        12.762       5.83
6        -75.676       0.70     1.85135    40.10
7         25.739       3.27     1.94595    17.98
8        -51.365       可変
9*       -16.000       0.70     1.85135    40.10
10        -32.294       可変
11*        18.489       6.35     1.74320    49.34
12*       -27.460       1.31
13（絞り）  ∞          1.50
14        248.146       0.70     1.92286    20.88
15         15.000       3.75     1.58313    59.38
16       -264.844       6.57
17         74.110       3.99     1.53071    55.69
18*       -16.014       可変
19        -29.733       1.94     1.92286    20.88
20        -21.084       2.98
21        -21.736       0.80     1.85135    40.10
22*        88.298       可変
23          ∞          4.00     1.51633    64.14
24          ∞          1.00
像面（撮像面）∞
非球面データ
第４面
k=0.000
A4=1.55519e-05,A6=-2.01240e-08,A8=-1.90590e-11
第５面
k=0.000
A4=-9.23342e-06,A6=4.57495e-08
第９面
k=0.000
A4=1.42525e-05,A6=8.27230e-08
第１１面
k=0.000
A4=-3.61365e-05,A6=7.84645e-08,A8=-2.68654e-10
第１２面
k=0.000
A4=4.68876e-05,A6=-3.50232e-08
第１８面
k=0.000
A4=9.79441e-05,A6=-8.38976e-08,A8=1.34820e-09
第２２面
k=0.000
A4=-3.65371e-05,A6=1.20843e-07
ズームデータ
ズーム比       2.88
広角端    中間      望遠端
焦点距離       12.40     21.04     35.71
ＦＮＯ．        1.80      2.20      2.42
画角２ω       91.78     54.97     33.61
像高           11.00     11.00     11.00
ＦＢ (in air)   4.41     11.74     23.52
全長 (in air)  72.74     81.03     91.64
d3           0.50      7.39     12.17
d8           3.50      4.26      3.50
d10           9.31      4.41      1.35
d18           5.76      3.96      1.83
d22           0.77      8.10     19.88
各群焦点距離
f1=69.04    f2=-20.72    f3=-38.00     f4=18.13    f5=-29.17
【０３１３】
数値実施例７
単位ｍｍ
面データ
面番号       r           d        nd        νd
物面        ∞           ∞
1         38.579       1.20     1.92286    20.88
2         28.391       6.77     1.72916    54.68
3        260.742       可変
4*      -254.753       0.70     1.85135    40.10
5*        13.117       5.89
6        173.291       3.20     1.94595    17.98
7        -27.008       0.70     1.83481    42.71
8       -185.400       可変
9*       -16.000       0.70     1.85135    40.10
10        -33.170       可変
11*        20.732       7.00     1.74320    49.34
12*       -31.687       1.00
13（絞り）  ∞          1.00
14         22.248       6.39     1.58313    59.38
15        -16.656       0.70     1.92286    20.88
16        177.449       2.00
17      -9100.541       0.70     1.85135    40.10
18         18.293       7.00     1.58313    59.38
19*       -17.226       可変
20        -23.885       2.38     1.94595    17.98
21        -17.364       1.39
22        -42.826       1.80     1.63493    23.89
23        -21.908       1.46
24        -14.714       0.80     1.85135    40.10
25*      -240.607       可変
26          ∞          4.00     1.51633    64.14
27          ∞          1.00
像面（撮像面）∞
非球面データ
第４面
k=0.000
A4=1.94028e-05,A6=-3.65147e-08,A8=2.42880e-11
第５面
k=0.000
A4=-5.45404e-06,A6=4.40518e-08
第９面
k=0.000
A4=1.36061e-05,A6=9.16295e-08
第１１面
k=0.000
A4=-1.03446e-05,A6=2.17942e-08,A8=-3.82013e-11
第１２面
k=0.000
A4=2.94461e-05,A6=-2.63599e-08
第１９面
k=0.000
A4=1.29530e-04,A6=4.40349e-08,A8=1.17715e-09
第２５面
k=0.000
A4=-6.86053e-05,A6=1.48065e-07
ズームデータ
ズーム比       2.88
広角端    中間      望遠端
焦点距離       12.40     21.65     35.71
ＦＮＯ．        1.80      2.20      2.42
画角２ω       91.78     53.89     33.79
像高           11.00     11.00     11.00
ＦＢ (in air)   4.14     10.74     20.96
全長 (in air)  75.85     82.52     90.78
d3           0.50      8.07     11.80
d8           5.49      4.17      3.50
d10           9.28      4.43      0.85
d19           3.67      2.34      0.89
d25           0.50      7.10     17.33
各群焦点距離
f1=68.33    f2=-21.00    f3=-37.00     f4=16.59    f5=-47.63
【０３１４】
数値実施例８
単位ｍｍ
面データ
面番号       r           d        nd        νd
物面        ∞           ∞
1         46.908       1.20     1.92286    20.88
2         43.931       4.48     1.72916    54.68
3        642.947       可変
4*      -118.552       0.70     1.85135    40.10
5*        13.345       6.37
6*       113.708       2.56     2.00170    20.60
7*       -51.181       可変
8*       -18.250       1.11     1.85135    40.10
9        -60.808       可変
10（絞り）  ∞          1.20
11*        18.951       6.62     1.74320    49.34
12*       -50.870       3.85
13         27.994       6.42     1.59201    67.02
14        -14.905       0.70     1.92286    20.88
15        -69.043       1.86
16        -78.909       0.70     1.85135    40.10
17         14.281       6.36     1.58313    59.38
18*       -18.294       可変
19        -66.732       3.55     1.94595    17.98
20        -18.436       0.81
21        -15.123       0.80     1.85135    40.10
22*      -179.930       可変
23          ∞          4.00     1.51633    64.14
24          ∞          1.00
像面（撮像面）∞
非球面データ
第４面
k=0.000
A4=3.39711e-05,A6=-1.17508e-07,A8=1.57393e-10
第５面
k=0.000
A4=5.97555e-06,A6=1.30513e-07
第６面
k=0.000
A4=-3.25517e-06,A6=-6.64755e-09,A8=3.15978e-10
第７面
k=0.000
A4=-9.90464e-06,A6=-6.80720e-08
第８面
k=0.000
A4=1.28033e-05,A6=6.52437e-08
第１１面
k=0.000
A4=-1.22332e-05,A6=8.69958e-09,A8=7.15023e-12
第１２面
k=0.000
A4=2.27748e-05,A6=-2.40824e-08
第１８面
k=0.000
A4=1.02765e-04,A6=-2.95451e-08,A8=2.16311e-09
第２２面
k=0.000
A4=-5.61994e-05,A6=7.26066e-08
ズームデータ
ズーム比       2.88
広角端    中間      望遠端
焦点距離       12.40     21.04     35.71
ＦＮＯ．        1.80      2.20      2.42
画角２ω       91.78     54.69     33.61
像高           11.00     11.00     11.00
ＦＢ (in air)   4.14     12.68     23.70
全長 (in air)  76.64     83.69     91.64
d3           0.50      7.93     12.44
d7           3.50      4.31      3.50
d9          13.21      6.29      0.85
d18           5.99      3.18      1.86
d22           0.50      9.04     20.06 
各群焦点距離
f1=70.21    f2=-35.26    f3=-31.00     f4=18.17    f5=-78.19
【０３１５】
数値実施例９
単位ｍｍ
面データ
面番号       r           d        nd        νd
物面        ∞           ∞
1         35.584       5.45     1.49700    81.61
2        337.853       可変
3*        95.496       0.70     1.85135    40.10
4*        12.588       7.63
5        -34.254       0.70     1.83481    42.71
6       -972.836       2.29     1.94595    17.98
7        -32.533       可変
8*       -16.000       0.70     1.85135    40.10
9        -33.171       可変
10（絞り）  ∞          1.20
11*        21.932       6.55     1.74320    49.34
12*       -31.482       0.50
13         16.592       7.00     1.49700    81.61
14        -21.663       0.70     1.84666    23.78
15         86.054       2.00
16      -4928.515       0.70     1.85135    40.10
17         11.226       7.00     1.58313    59.38
18*       -20.445       可変
19        -43.014       3.25     1.92286    20.88
20        -17.608       1.85
21        -13.818       0.80     1.85135    40.10
22*       -56.995       可変
23          ∞          4.00     1.51633    64.14
24          ∞          1.00
像面（撮像面）∞
非球面データ
第３面
k=0.000
A4=7.07752e-06,A6=-1.37255e-08,A8=-1.48761e-11
第４面
k=0.000
A4=1.81161e-06,A6=7.45026e-08
第８面
k=0.000
A4=1.87518e-05,A6=9.16393e-08
第１１面
k=0.000
A4=-5.56716e-06,A6=2.79877e-08,A8=-4.45588e-11
第１２面
k=0.000
A4=2.98246e-05,A6=-1.94313e-08
第１８面
k=0.000
A4=8.01803e-05,A6=1.45857e-07,A8=9.98590e-10
第２２面
k=0.000
A4=-4.46427e-05,A6=-2.33168e-08
ズームデータ
ズーム比       2.88
広角端    中間      望遠端
焦点距離       12.20     20.70     35.14
ＦＮＯ．        1.80      2.20      2.42
画角２ω       92.17     56.76     34.54
像高           11.00     11.00     11.00
ＦＢ (in air)   4.14     11.41     24.01
全長 (in air)  75.50     84.23     94.64
d2           0.50     10.19     15.03
d7           6.68      4.48      3.50
d9           8.36      4.46      0.85
d18           6.81      4.68      2.23
d22           0.50      7.77     20.38
各群焦点距離
f1=79.55    f2=-21.00    f3=-37.00     f4=16.29    f5=-80.00
【０３１６】
数値実施例１０
単位ｍｍ
面データ
面番号       r           d        nd        νd
物面        ∞           ∞
1         38.843       1.20     1.92286    20.88
2         27.649       6.73     1.72916    54.68
3        224.046       可変
4*       102.187       0.70     1.85135    40.10
5*        11.666       5.31
6        557.012       0.70     1.85135    40.10
7         19.420       2.94     1.94595    17.98
8       -479.574       可変
9*       -16.000       0.70     1.85135    40.10
10        -32.293       可変
11（絞り）  ∞          1.20
12*        19.204       6.90     1.74320    49.34
13*       -35.869       1.61
14         29.056       6.22     1.61772    49.81
15        -15.477       0.70     1.92286    20.88
16         64.476       3.20
17*       124.430       4.11     1.53071    55.69
18*       -18.090       可変
19        -46.065       3.50     1.92286    20.88
20        -20.920       2.98
21        -17.617       0.80     1.85135    40.10
22*      2147.238       可変
23          ∞          4.00     1.51633    64.14
24          ∞          1.00
像面（撮像面）∞
非球面データ
第４面
k=0.000
A4=6.55986e-06,A6=-8.11138e-09,A8=-4.75807e-11
第５面
k=0.000
A4=-5.19027e-06,A6=4.10342e-08
第９面
k=0.000
A4=1.81775e-05,A6=8.44383e-08
第１２面
k=0.000
A4=-1.23181e-05,A6=3.20050e-08,A8=-9.59551e-12
第１３面
k=0.000
A4=3.06649e-05,A6=-3.23801e-08
第１７面
k=0.000
A4=-1.31977e-05,A6=-9.89665e-08
第１８面
k=0.000
A4=1.01527e-04,A6=-8.28177e-08,A8=2.67680e-09
第２２面
k=0.000
A4=-3.40514e-05,A6=8.35220e-08
ズームデータ
ズーム比       2.88
広角端    中間      望遠端
焦点距離       12.40     21.04     35.71
ＦＮＯ．        1.80      2.20      2.42
画角２ω       91.77     55.16     33.72
像高           11.00     11.00     11.00
ＦＢ (in air)   4.14     11.36     24.31
全長 (in air)  72.99     81.72     91.64
d3           0.50      8.82     12.44
d8           4.09      3.90      3.50
d10           8.58      4.32      0.85
d18           6.18      3.84      1.04 
d22           0.50      7.72     20.67
各群焦点距離
f1=72.13    f2=-18.91    f3=-38.00     f4=16.37    f5=-47.43
【０３１７】
数値実施例１１
単位ｍｍ
面データ
面番号       r           d        nd        νd
物面        ∞           ∞
1         44.447       1.20     1.92286    20.88
2         32.825       6.11     1.72916    54.68
3        338.148       可変
4*       151.424       0.70     1.85135    40.10
5*        12.784       5.56
6       2001.102       0.70     1.83481    42.71
7         24.980       2.87     1.94595    17.98
8       -206.033       可変
9*       -16.048       0.70     1.85135    40.10
10        -33.370       可変
11（絞り）  ∞          1.20
12*        19.596       6.67     1.74320    49.34
13*       -31.442       1.72
14         35.539       5.59     1.58313    59.38
15        -16.056       0.70     1.92286    20.88
16       -466.910       3.62
17       -225.182       0.70     1.85135    40.10
18         29.127       4.46     1.58313    59.38
19*       -17.634       可変
20        -28.396       2.54     1.94595    17.98
21        -17.821       3.24
22        -14.575       0.80     1.85135    40.10
23*       -58.395       可変
24          ∞          4.00     1.51633    64.14
25          ∞          1.00
像面（撮像面）∞
非球面データ
第４面
k=0.000
A4=8.34146e-06,A6=-1.00017e-08,A8=-4.26973e-11
第５面
k=0.000
A4=-1.35875e-06,A6=9.16672e-08
第９面
k=0.000
A4=2.00032e-05,A6=7.65388e-08
第１２面
k=0.000
A4=-1.70494e-05,A6=4.69254e-08,A8=-8.85739e-11
第１３面
k=0.000
A4=3.29567e-05,A6=-3.76456e-08
第１９面
k=0.000
A4=8.88706e-05,A6=1.05712e-07,A8=2.16724e-09
第２３面
k=0.000
A4=-3.81725e-05,A6=4.56495e-08
ズームデータ
ズーム比       2.88
広角端    中間      望遠端
焦点距離       12.40     21.04     35.71
ＦＮＯ．        1.80      2.20      2.42
画角２ω       91.78     55.60     33.77
像高           11.00     11.00     11.00
ＦＢ (in air)   4.14     11.21     22.68
全長 (in air)  74.12     80.44     91.64
d3           0.50      7.51     13.33
d8           5.66      4.01      3.50
d10           8.83      4.28      0.85
d19           5.91      4.34      2.20
d23           0.50      7.57     19.04
各群焦点距離
f1=77.37    f2=-21.00    f3=-37.00     f4=16.62    f5=-49.24
【０３１８】
数値実施例１２
単位ｍｍ
面データ
面番号       r           d        nd        νd
物面        ∞           ∞
1         57.828       0.80     1.85026    32.27
2         40.397       3.00     1.49700    81.54
3        131.245       可変
4      -1143.650       1.00     1.72903    54.04
5         12.308       4.13
6         14.638       2.28     1.63493    23.90
7         23.825       可変
8*        10.979       3.35     1.74320    49.34
9*       140.486       1.00
10（絞り）  ∞          1.00
11         36.575       0.80     1.90366    31.32
12          7.739       4.11     1.49700    81.61
13        -11.792       可変
14*       -20.401       2.58     1.63493    23.90
15*       -11.697       2.50
16*        -8.584       1.00     1.53071    55.69
17*        40.689       可変
18          ∞          3.00     1.51633    64.14
19          ∞          1.00
像面（撮像面）∞
非球面データ
第８面
k=0.000
A4=-2.69474e-05,A6=1.34978e-07
第９面
k=0.225
A4=1.34693e-04,A6=8.09853e-07
第１４面
k=0.000
A4=9.07844e-05,A6=1.71338e-06
第１５面
k=0.000
A4=1.53936e-04,A6=-1.18712e-06,A8=-2.23432e-09
第１６面
k=0.000
A4=8.22560e-06,A6=-3.19814e-06
第１７面
k=0.000
A4=-1.39032e-04,A6=8.36251e-07
ズームデータ
ズーム比       2.82
広角端    中間      望遠端
焦点距離       14.75     24.77     41.59
ＦＮＯ．        3.60      4.80      5.80
画角２ω       81.03     48.95     29.59
像高           11.15     11.15     11.15
ＦＢ (in air)   5.56     16.89     26.16
全長 (in air)  52.48     58.51     66.75
d3           0.70      4.20     10.46
d7          12.99      8.06      0.70
d13           5.69      1.81      1.88
d17           2.58     13.92     23.18
各群焦点距離
f1=435.38    f2=-25.49     f3=14.50    f4=-20.75
【０３１９】
数値実施例１３
単位ｍｍ
面データ
面番号       r           d        nd        νd
物面        ∞           ∞
1        105.621       0.70     1.94595    17.98
2         28.115       3.88     1.72916    54.68
3       -111.239       可変
4        -91.283       0.70     1.91082    35.25
5         15.638       4.06
6*       222.881       0.70     1.80610    40.92
7*        41.464       0.50
8         21.455       3.92     1.92286    20.88
9        -45.762       可変
10*       -18.557       0.90     1.74320    49.34
11        297.270       可変
12         14.303       2.38     1.55332    71.68
13        -46.278       0.50
14         13.467       2.65     1.49700    81.61
15        -21.031       0.70     1.90366    31.32
16         79.439       1.00
17（絞り）  ∞          3.12
18*        21.799       4.50     1.58313    59.38
19         -8.227       1.20     1.80400    46.57
20        -47.738       可変
21         -7.628       0.70     1.72916    54.68
22        -17.465       可変
23          ∞          3.50     1.51633    64.14
24          ∞          1.00
像面（撮像面）∞
非球面データ
第６面
k=0.000
A4=-2.86787e-05,A6=6.42771e-07,A8=1.41627e-10
第７面
k=0.000
A4=-3.62299e-05,A6=5.99754e-07
第１０面
k=0.000
A4=-8.77871e-06,A6=1.62821e-07
第１８面
k=0.000
A4=-4.75946e-05,A6=5.71600e-07,A8=-1.37680e-08,A10=8.46515e-10
ズームデータ
ズーム比       2.88
広角端    中間      望遠端
焦点距離       14.40     24.10     41.47
ＦＮＯ．        3.63      4.60      5.78
画角２ω       79.30     48.44     29.21
像高           11.00     11.00     11.00
ＦＢ (in air)   3.81      9.87     20.76
全長 (in air)  59.81     62.79     71.81
d3           0.50      2.46      3.65
d9           4.06      4.85      5.70
d11          10.35      4.95      1.50
d20           8.99      8.56      8.09
d22           0.50      6.56     17.46
各群焦点距離
f1=128.45   f2=-387.63    f3=-23.47     f4=14.27    f5=-19.15
【０３２０】
数値実施例１４
単位ｍｍ
面データ
面番号       r           d        nd        νd
物面        ∞           ∞
1         41.908       1.20     1.92286    20.88
2         31.848       6.19     1.72916    54.68
3        264.433       可変
4*       286.522       0.70     1.85135    40.10
5*        12.657       5.86
6        -59.905       0.70     1.83481    42.71
7         33.678       2.46     1.94595    17.98
8        -82.685       可変
9*       -17.000       0.70     1.85135    40.10
10        -86.064       0.50
11        116.906       1.56     1.90366    31.32
12        -73.180       可変
13（絞り）  ∞          1.20
14*        18.074       6.66     1.74320    49.34
15*       -43.085       2.36
16         31.719       5.36     1.58313    59.38
17        -17.702       0.70     1.92286    20.88
18        263.171       0.58
19       -173.828       0.70     1.85135    40.10
20         27.138       6.81     1.58313    59.38
21*       -15.157       可変
22        -34.349       4.60     1.94595    17.98
23        -20.534       1.01
24*       -22.657       0.80     1.85135    40.10
25*       327.601       可変
26          ∞          4.00     1.51633    64.14
27          ∞          1.00
像面（撮像面）∞
非球面データ
第４面
k=0.000
A4=1.48792e-05,A6=-1.30631e-08,A8=-3.69361e-11
第５面
k=0.000
A4=-7.24730e-06,A6=1.03720e-07
第９面
k=0.000
A4=-4.15466e-06,A6=1.45187e-08
第１４面
k=0.000
A4=-1.00368e-05,A6=1.36206e-09,A8=6.60413e-11
第１５面
k=0.000
A4=3.34876e-05,A6=-2.98206e-08
第２１面
k=0.000
A4=1.58836e-04,A6=-4.75860e-07,A8=4.52794e-09
第２４面
k=0.000
A4=-8.26162e-05,A6=-2.59457e-07
第２５面
k=0.000
A4=-1.24181e-04,A6=2.75686e-07
ズームデータ
ズーム比       2.88
広角端    中間      望遠端
焦点距離       12.40     21.04     35.71
ＦＮＯ．        1.80      2.20      2.42
画角２ω       91.78     55.68     33.61
像高           11.00     11.00     11.00
ＦＢ (in air)  13.64     19.86     29.51
全長 (in air)  83.12     89.97    101.64
d3           0.50      8.97     16.64
d8           8.00      4.78      3.50
d12           9.07      4.61      0.85
d21           1.27      1.11      0.50
d25          10.00     16.23     25.87
各群焦点距離
f1=74.29    f2=-16.26    f3=-53.15     f4=17.01    f5=-48.99
【０３２１】
数値実施例１５
単位ｍｍ
面データ
面番号       r           d        nd        νd
物面        ∞           ∞
1         40.392       1.20     1.92286    20.88
2         28.702       6.51     1.72916    54.68
3        241.745       可変
4*        96.396       0.70     1.85135    40.10
5*        11.676       4.42
6         41.677       0.70     1.85135    40.10
7         15.694       2.45     1.94595    17.98
8         36.533       可変
9        -68.807       1.39     1.92286    20.88
10        -28.545       0.94
11*       -16.000       0.70     1.85135    40.10
12        -49.642       可変
13（絞り）  ∞          1.20
14*        18.434       6.67     1.74320    49.34
15*       -39.884       1.65
16         27.347       5.80     1.61772    49.81
17        -15.853       0.70     1.92286    20.88
18         54.043       2.48
19*       139.350       4.50     1.53071    55.69
20*       -18.042       可変
21        -42.071       3.39     1.92286    20.88
22        -20.169       2.90
23        -16.690       0.80     1.85135    40.10
24*      -319.860       可変
25          ∞          4.00     1.51633    64.14
26          ∞          1.00
像面（撮像面）∞
非球面データ
第４面
k=0.000
A4=1.82413e-06,A6=-3.18040e-09,A8=-2.89705e-11
第５面
k=0.000
A4=-3.38058e-06,A6=7.71621e-09
第１１面
k=0.000
A4=2.94045e-05,A6=1.29390e-07
第１４面
k=0.000
A4=-1.09203e-05,A6=3.27818e-08,A8=2.32571e-12
第１５面
k=0.000
A4=3.25035e-05,A6=-3.94221e-08
第１９面
k=0.000
A4=-1.88641e-05,A6=-2.39225e-07
第２０面
k=0.000
A4=1.01467e-04,A6=-1.50773e-07,A8=3.16271e-09
第２４面
k=0.000
A4=-3.20227e-05,A6=8.74368e-08
ズームデータ
ズーム比       2.88
広角端    中間      望遠端
焦点距離       12.40     21.04     35.71
ＦＮＯ．        1.80      2.20      2.42
画角２ω       91.78     55.10     33.71
像高           11.00     11.00     11.00
ＦＢ (in air)   4.14     11.25     24.35
全長 (in air)  73.07     81.65     91.64
d3           0.50      8.92     12.72
d8           4.19      3.95      3.50
d12           8.74      4.28      0.85
d20           6.42      4.16      1.12
d24           0.50      7.62     20.72
各群焦点距離
f1=74.60    f2=-15.53    f3=-61.33     f4=16.21    f5=-47.59
【０３２２】
数値実施例１６
単位ｍｍ
面データ
面番号       r           d        nd        νd
物面        ∞           ∞
1         39.968       1.20     1.92286    20.88
2         31.467       6.29     1.72916    54.68
3        214.592       可変
4*       193.367       0.70     1.85135    40.10
5*        11.616       6.91
6        -58.037       0.70     1.83481    42.71
7         52.279       3.46     1.94595    17.98
8        -40.732       可変
9*       -16.000       0.70     1.85135    40.10
10        -33.170       可変
11（絞り）  ∞          1.20
12*        17.935       6.55     1.74320    49.34
13*       -42.043       2.39
14         37.515       5.57     1.58313    59.38
15        -15.643       0.70     1.92286    20.88
16        210.160       0.68
17      -2190.331       0.70     1.85135    40.10
18         31.667       5.98     1.58313    59.38
19*       -16.363       可変
20        -28.878       3.95     1.94595    17.98
21        -18.301       1.92
22*       -19.306       0.80     1.85135    40.10
23*       -89.476       可変
24          ∞          4.00     1.51633    64.14
25          ∞          1.00
像面（撮像面）∞
非球面データ
第４面
k=0.000
A4=1.12228e-05,A6=-3.01217e-09,A8=-4.98725e-11
第５面
k=0.000
A4=-1.11534e-05,A6=8.30052e-08
第９面
k=0.000
A4=1.95366e-05,A6=1.35081e-07
第１２面
k=0.000
A4=-1.14615e-05,A6=1.46739e-08,A8=3.41441e-11
第１３面
k=0.000
A4=3.51478e-05,A6=-4.11266e-08
第１９面
k=0.000
A4=1.26189e-04,A6=-1.57920e-07,A8=3.27032e-09
第２２第面
k=0.000
A4=-7.20692e-05,A6=-8.40782e-08
第２３面
k=0.000
A4=-1.02605e-04,A6=2.38304e-07
ズームデータ
ズーム比       2.88
広角端    中間      望遠端
焦点距離       12.40     21.04     35.71
ＦＮＯ．        1.80      2.20      2.42
画角２ω       91.78     55.63     33.61
像高           11.00     11.00     11.00
ＦＢ (in air)  13.64     20.20     30.00
全長 (in air)  81.46     89.29    101.64
d3           0.50      8.88     16.40
d8           5.13      3.68      3.50
d10          10.60      5.10      0.85
d19           1.21      1.04      0.50
d23          10.00     16.56     26.36
各群焦点距離
f1=72.02    f2=-20.76    f3=-37.00     f4=17.03    f5=-77.32
【０３２３】
数値実施例１７
単位ｍｍ
面データ
面番号       r           d        nd        νd
物面        ∞           ∞
1         38.618       1.20     1.92286    20.88
2         29.205       6.45     1.72916    54.68
3        205.845       可変
4*      -778.609       0.70     1.85135    40.10
5*        13.624       5.55
6         52.000       1.80     1.94595    17.98
7        107.069       可変
8*       -15.232       0.70     1.74320    49.34
9       -339.259       1.68     1.92286    20.88
10        -32.126       可変
11（絞り）  ∞          1.20
12*        16.916       6.63     1.74320    49.34
13*       -70.558       3.78
14         31.517       5.73     1.61772    49.81
15        -13.890       0.70     1.92286    20.88
16         47.878       1.13
17*        63.683       5.30     1.53071    55.69
18*       -17.946       可変
19        -69.750       3.01     1.92286    20.88
20        -21.079       1.48
21        -18.252       0.80     1.85135    40.10
22*       183.245       可変
23          ∞          4.00     1.51633    64.14
24          ∞          1.00
像面（撮像面）∞
非球面データ
第４面
k=0.000
A4=2.21273e-05,A6=-2.85973e-08,A8=1.08543e-11
第５面
k=0.000
A4=-6.17294e-06,A6=8.78619e-08
第８面
k=0.000
A4=7.74790e-06,A6=3.81038e-08
第１２面
k=0.000
A4=-9.99971e-06,A6=6.18210e-09,A8=5.25518e-11
第１３面
k=0.000
A4=2.65402e-05,A6=-2.45205e-08
第１７面
k=0.000
A4=-4.85902e-05,A6=-2.59755e-07
第１８面
k=0.000
A4=8.54609e-05,A6=-2.67967e-07,A8=4.65433e-09
第２２面
k=0.000
A4=-2.71331e-05,A6=1.85901e-08
ズームデータ
ズーム比       2.88
広角端    中間      望遠端
焦点距離       12.40     20.96     35.71
ＦＮＯ．        1.80      2.20      2.42
画角２ω       91.78     55.33     33.61
像高           11.00     11.00     11.00
ＦＢ (in air)   4.14     11.50     24.20
全長 (in air)  76.30     83.46     91.64
d3           0.50      8.21     12.96
d7           4.80      6.33      4.80
d10          11.93      4.88      0.85
d18           7.10      4.70      1.00
d22           0.50      7.86     20.57
各群焦点距離
f1=70.90    f2=-19.51    f3=-53.18     f4=17.85    f5=-53.94
【０３２４】
次に、各実施例における条件式（１）〜（９）の値を掲げる。なお、ハイフン（−）は値が算出できないことを示す。
条件式               実施例１    実施例２    実施例３    実施例４
(1)(βlt/βlw)/(ft/fw)    0.520       0.483       0.467       0.529
(2)Daiw/(tanωt×ft)      3.913       4.000       3.221       3.930
(3)|St|               2.837       2.735       2.796       2.771
(4)fl/fw             -2.281      -3.566      -3.616      -2.245
(5)EXPw/(tanωt×ft)    1.989       2.595       2.054       1.985
(6)βlw                   1.197       1.096       1.071       1.161
(7)(rlf+rlb)/(rlf-rlb)  -3.213      -1.584      -1.066      -2.347
(8)(rff+rfb)/(rff-rfb)  -2.733      -2.864      -2.864      -2.964
(9)(βlt/βlw)           1.497       1.391       1.344       1.524
条件式               実施例５    実施例６    実施例７    実施例８
(1)(βlt/βlw)/(ft/fw)    0.451       0.545       0.462       0.430
(2)Daiw/(tanωt×ft)      3.985       3.130       3.207       4.114
(3)|St|               2.674       2.688       2.733       2.541
(4)fl/fw             -4.319      -2.352      -3.841      -6.306
(5)EXPw/(tanωt×ft)    2.545       1.852       2.108       3.164
(6)βlw                   1.073       1.151       1.073       1.055
(7)(rlf+rlb)/(rlf-rlb)  -1.512      -0.605      -1.130      -1.184
(8)(rff+rfb)/(rff-rfb)  -2.846      -2.964      -2.864      -1.858
(9)(βlt/βlw)           1.299       1.569       1.329       1.237
条件式               実施例９    実施例１０  実施例１１  実施例１２
(1)(βlt/βlw)/(ft/fw)    0.430       0.487       0.469       0.631
(2)Daiw/(tanωt×ft)      4.014       3.964       3.935       2.208
(3)|St|               3.100       2.826       2.828         -
(4)fl/fw             -6.557      -3.825      -3.971      -1.407
(5)EXPw/(tanωt×ft)    2.848       2.315       2.510       1.128
(6)βlw                   1.039       1.056       1.071       1.275
(7)(rlf+rlb)/(rlf-rlb)  -1.640      -0.984      -1.665      -0.728
(8)(rff+rfb)/(rff-rfb)  -2.864      -2.964      -2.853         -
(9)(βlt/βlw)           1.239       1.403       1.352       1.778
条件式               実施例１３  実施例１４  実施例１５  実施例１６
(1)(βlt/βlw)/(ft/fw)    0.596       0.432       0.486       0.408
(2)Daiw/(tanωt×ft)      2.174       4.362       3.882       4.325
(3)|St|               4.614       1.903       1.979       2.683
(4)fl/fw             -1.330      -3.951      -3.838      -6.235
(5)EXPw/(tanωt×ft)    1.154       3.239       2.231       3.463
(6)βlw                   1.237       1.329       1.062       1.210
(7)(rlf+rlb)/(rlf-rlb)  -2.551      -0.871      -1.110      -1.550
(8)(rff+rfb)/(rff-rfb)  -0.882      -1.492      -1.951      -2.864
(9)(βlt/βlw)           1.716       1.244       1.400       1.175
条件式               実施例１７
(1)(βlt/βlw)/(ft/fw)    0.469
(2)Daiw/(tanωt×ft)      3.927
(3)|St|               1.597
(4)fl/fw             -4.350
(5)EXPw/(tanωt×ft)    2.390
(6)βlw                   1.057
(7)(rlf+rlb)/(rlf-rlb)  -0.819
(8)(rff+rfb)/(rff-rfb)  -1.094
(9)(βlt/βlw)           1.352
【０３２５】
図３５は、電子撮像装置としてのコンパクトカメラの断面図である。図３５において、コンパクトカメラ１の鏡筒内には撮影光学系２が配置されている。また、ボディには、撮像素子面４、バックモニタ５が配置されている。なお、撮像素子としては、小型のＣＣＤ又はＣＭＯＳ等が用いられている。
【０３２６】
ここで、鏡筒にマウント部を設けて、撮影光学系２を一眼ミラーレスカメラのボディに対して着脱可能とすることもできる。このマウント部は、例えばスクリュータイプやバヨネットタイプ等のマウントを用いる。
【０３２７】
そして、このような構成のコンパクトカメラ１の撮影光学系２として、例えば上記実施例１〜１７に示した本発明のズームレンズが用いられる。
【０３２８】
図３６、図３７は、本発明に係る撮像装置の構成の概念図を示す。図３６は撮像装置としてのデジタルカメラ４０の外観を示す前方斜視図、図３７は同後方斜視図である。このデジタルカメラ４０の撮影光学系４１に、本発明のズームレンズが用いられている。
【０３２９】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０３３０】
図３８は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部等で構成される。
【０３３１】
図３８に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０３３２】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０３３３】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０３３４】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０３３５】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０３３６】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０３３７】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０３３８】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０３３９】
このように構成されたデジタルカメラ４０は、サイズが大きい撮像素子を用いた場合であっても、中心から周辺まで諸収差が補正され、なお且つ、光学系の全長が短いズームレンズを備えた撮像装置とすることが可能となる。
【０３４０】
なお、本発明は、その趣旨を逸脱しない範囲で様々な変形例をとることができる。また、上記各実施例により示された形状枚数には必ずしも限定されない。また、上記各実施例において、カバーガラスＣは必ずしも配置しなくても良い。また、各レンズ群内又は各レンズ群外に、上記各実施例に図示されていないレンズであって実質的に屈折力を有さないレンズを配置してもよい。上記各実施例は、実質的に４つのレンズ群からなるズームレンズということもできる。
【産業上の利用可能性】
【０３４１】
以上のように、本発明は、諸収差が良好に補正され、なお且つ、全長が短いズームレンズ及びそれを備えた撮像装置に適している。
【符号の説明】
【０３４２】
Ｇ１…第１レンズ群
Ｇ２…第２レンズ群
Ｇ３…第３レンズ群
Ｇ４…第４レンズ群
Ｇ５…第５レンズ群
Ｓ…明るさ（開口）絞り
Ｃ…平行平板
Ｉ…像面
１…コンパクトカメラ
２…撮像レンズ系
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
４９…ＣＣＤ
【図１】
0005977888.tif 000002
【図２】
0005977888.tif 000003
【図３】
0005977888.tif 000004
【図４】
0005977888.tif 000005
【図５】
0005977888.tif 000006
【図６】
0005977888.tif 000007
【図７】
0005977888.tif 000008
【図８】
0005977888.tif 000009
【図９】
0005977888.tif 000010
【図１０】
0005977888.tif 000011
【図１１】
0005977888.tif 000012
【図１２】
0005977888.tif 000013
【図１３】
0005977888.tif 000014
【図１４】
0005977888.tif 000015
【図１５】
0005977888.tif 000016
【図１６】
0005977888.tif 000017
【図１７】
0005977888.tif 000018
【図１８】
0005977888.tif 000019
【図１９】
0005977888.tif 000020
【図２０】
0005977888.tif 000021
【図２１】
0005977888.tif 000022
【図２２】
0005977888.tif 000023
【図２３】
0005977888.tif 000024
【図２４】
0005977888.tif 000025
【図２５】
0005977888.tif 000026
【図２６】
0005977888.tif 000027
【図２７】
0005977888.tif 000028
【図２８】
0005977888.tif 000029
【図２９】
0005977888.tif 000030
【図３０】
0005977888.tif 000031
【図３１】
0005977888.tif 000032
【図３２】
0005977888.tif 000033
【図３３】
0005977888.tif 000034
【図３４】
0005977888.tif 000035
【図３５】
0005977888.tif 000036
【図３６】
0005977888.tif 000037
【図３７】
0005977888.tif 000038
【図３８】
0005977888.tif 000039